(57)【要約】  データ伝送方法、端末及びネットワーク機器を提供する。本開示の伝送方法において、端末の伝送能力に対応する目標上り伝送方式を取得することと、目標上り伝送方式における上りデータのデータ層と端末のアンテナパネルとの対応関係に基づいて、端末の少なくとも１つのアンテナパネルから上りデータのデータ層を送信することとを含む。【選択図】  図４
2021534674.tif 000002
【特許請求の範囲】
【請求項１】
上りリンク伝送用の少なくとも２つのアンテナパネルが構成された端末に応用されるデータ伝送方法であって、
端末の伝送能力に対応する目標上り伝送方式を取得することと、
前記目標上り伝送方式における上りデータのデータ層と端末のアンテナパネルとの対応関係に基づいて、前記端末の少なくとも１つのアンテナパネルから上りデータのデータ層を送信することと、
を含む、データ伝送方法。
【請求項２】
端末の伝送能力に対応する目標上り伝送方式を取得することは、
端末の伝送能力に基づいて、予め設定された複数種類の上り伝送方式から少なくとも１種の上り伝送方式を選択して前記目標上り伝送方式とすること、
ここで、異なる上り伝送方式における上りデータのデータ層と端末のアンテナパネルとの対応関係が異なり、
又は、前記端末の伝送能力をネットワーク機器に報告し、前記ネットワーク機器が前記端末の伝送能力に基づいて指示した上り伝送方式を取得し、ネットワーク機器によって指示される上り伝送方式に基づいて前記目標上り伝送方式を決定すること、
又は、端末の伝送能力に基づいて、予め設定された複数種類の上り伝送方式から少なくとも１種の上り伝送方式を選択して推奨上り伝送方式としてネットワーク機器に送信し、前記ネットワーク機器が前記推奨上り伝送方式から選択した上り伝送方式を取得し、前記ネットワーク機器が選択した上り伝送方式に基づいて前記目標上り伝送方式を決定すること、
又は、前記端末の伝送能力をネットワーク機器に報告し、前記ネットワーク機器が前記端末の伝送能力に基づいて指示した少なくとも１種の推奨上り伝送方式を取得し、前記少なくとも１種の推奨上り伝送方式から前記目標上り伝送方式を選択することを含む、請求項１に記載のデータ伝送方法。
【請求項３】
前記端末の伝送能力は、
前記端末にサポートされる同時上り伝送が可能なアンテナパネルの数、
前記端末にサポートされるビーム管理に利用可能な上りリソースセットの数、
前記端末にサポートされるコヒーレント伝送が可能なアンテナパネルの数、
前記端末にサポートされるスケジューリング指示方式、
の少なくとも１つを含む、請求項２に記載のデータ伝送方法。
【請求項４】
前記端末にサポートされるスケジューリング指示方式は、
前記端末のアンテナパネル毎に、送信プリコーディング行列インデックスＴＲＭＩ及び／又は送信ランクインデックスＴＲＩを含む目標情報を指示する第１スケジューリング指示方式、
前記端末のアンテナパネル毎に、目標情報及び任意２つのアンテナパネルの間の幅及び／又は位相重み係数を指示する第２スケジューリング指示方式、
前記端末に構成された全てのアンテナパネルが共同で目標情報を指示する第３スケジューリング指示方式、
の少なくとも１種のスケジューリング指示方式を含む、請求項３に記載のデータ伝送方法。
【請求項５】
前記予め設定された複数種類の上り伝送方式は、第１上り伝送方式、第２上り伝送方式及び第３上り伝送方式を含み、
ここで、前記第１上り伝送方式は、端末に構成された少なくとも２つのアンテナパネルから１つのアンテナパネルを選択し、選択した前記アンテナパネルから上りデータの全てのデータ層を伝送することを指し、
前記第２上り伝送方式は、上りデータの全てのデータ層を前記端末のアンテナパネル毎にそれぞれ伝送することを指し、
前記第３上り伝送方式は、前記上りデータの全てのデータ層をＮグループに分け、各グループのデータ層を１つのアンテナパネルから送信することを指し、ここで、各グループのデータ層とアンテナパネルとは一対一に対応し、Ｎは、前記端末のアンテナパネル数であり、且つＮは、１より大きい正の整数である、請求項３又は４に記載のデータ伝送方法。
【請求項６】
前記端末の伝送能力に基づいて、予め設定された複数種類の上り伝送方式から少なくとも１種の上り伝送方式を選択して前記目標上り伝送方式とすることは、
前記端末にサポートされる同時上り伝送が可能なアンテナパネルの数が１であり、又は前記端末にサポートされるビーム管理に利用可能な上りリソースセットの数が１である場合、前記目標上り伝送方式を前記第１上り伝送方式に決定することと、
前記端末にサポートされる同時上り伝送が可能なアンテナパネルの数、又は前記端末にサポートされるビーム管理に利用可能な上りリソースセットの数がＭ（Ｍは、１より大きい正の整数）であり、且つ前記端末にサポートされるコヒーレント伝送が可能なアンテナパネルの数が１である場合、前記目標上り伝送方式を前記第１上り伝送方式又は前記第３上り伝送方式に決定することと、
前記端末にサポートされる同時上り伝送が可能なアンテナパネルの数、又は前記端末にサポートされるビーム管理に利用可能な上りリソースセットの数がＭであり、且つ前記端末にサポートされるコヒーレント伝送が可能なアンテナパネルの数がＭである場合、前記目標上り伝送方式を前記第１上り伝送方式又は前記第２上り伝送方式に決定することと、
前記端末にサポートされる同時上り伝送が可能なアンテナパネルの数、又は前記端末にサポートされるビーム管理に利用可能な上りリソースセットの数がＭであり、且つ前記端末にサポートされるスケジューリング指示方式が前記第１スケジューリング指示方式である場合、前記目標上り伝送方式を前記第１上り伝送方式又は前記第３上り伝送方式に決定することと、
前記端末にサポートされる同時上り伝送が可能なアンテナパネルの数、又は前記端末にサポートされるビーム管理に利用可能な上りリソースセットの数がＭであり、且つ前記端末にサポートされるスケジューリング指示方式が前記第２スケジューリング指示方式又は前記第３スケジューリング指示方式である場合、前記目標上り伝送方式を前記第１上り伝送方式又は前記第２上り伝送方式に決定することとを含む、請求項５に記載のデータ伝送方法。
【請求項７】
前記端末の伝送能力には、端末にサポートされるスケジューリング指示方式が含まれ、且つ前記端末にサポートされるスケジューリング指示方式には、少なくとも２種のスケジューリング指示方式が含まれる場合、
端末の伝送能力に基づいて、予め設定された複数種類の上り伝送方式から少なくとも１種の上り伝送方式を選択して前記目標上り伝送方式とする前には、更に、
端末の伝送能力に基づいて、端末にサポートされる少なくとも２種のスケジューリング指示方式から１種のスケジューリング指示方式を選択して前記端末のスケジューリング指示方式とすること、
又は、端末の伝送能力をネットワーク機器に報告し、ネットワーク機器が前記端末の伝送能力に基づいて、端末にサポートされる少なくとも２種のスケジューリング指示方式から選択した１種のスケジューリング指示方式を取得し、前記端末のスケジューリング指示方式とすること、
又は、端末の伝送能力をネットワーク機器に報告し、ネットワーク機器が前記端末の伝送能力に基づいて、端末にサポートされる少なくとも２種のスケジューリング指示方式から選択した少なくとも１種の推奨スケジューリング指示方式を取得し、前記少なくとも１種の推奨スケジューリング指示方式から１種のスケジューリング指示方式を選択して前記端末のスケジューリング指示方式とすること、
又は、端末の伝送能力に基づいて、端末にサポートされる少なくとも２種のスケジューリング指示方式から少なくとも１種の推奨スケジューリング指示方式を決定してネットワーク機器に送信し、前記ネットワーク機器が前記少なくとも１種の推奨スケジューリング指示方式から選択したスケジューリング指示方式を前記端末のスケジューリング指示方式とすることを含む、請求項２に記載のデータ伝送方法。
【請求項８】
ネットワーク機器に応用されるデータ伝送方法であって、
端末から報告された伝送情報であって、端末の伝送能力に対応する少なくとも１種の推奨上り伝送方式及び／又は端末の伝送能力を含む伝送情報を取得することと、
前記伝送情報に基づいて、上り伝送方式を端末に指示することと、
を含む、データ伝送方法。
【請求項９】
前記伝送情報に基づいて、上り伝送方式を端末に指示することは、
前記伝送情報が端末の伝送能力である場合、端末の伝送能力に基づいて、予め設定された複数種類の上り伝送方式から少なくとも１種の上り伝送方式を選択して端末に指示すること、
又は、前記伝送情報が、端末の伝送能力に対応する少なくとも１種の推奨上り伝送方式と端末の伝送能力である場合、前記少なくとも１種の推奨上り伝送方式から、端末の伝送能力に基づいて少なくとも１種の上り伝送方式を選択して端末に指示すること、
又は、前記伝送情報が、端末の伝送能力に対応する少なくとも１種の推奨上り伝送方式である場合、前記少なくとも１種の推奨上り伝送方式から少なくとも１種の上り伝送方式を選択して端末に指示することを含む、請求項８に記載のデータ伝送方法。
【請求項１０】
前記端末の伝送能力は、
前記端末にサポートされる同時上り伝送が可能なアンテナパネルの数、
前記端末にサポートされるビーム管理に利用可能な上りリソースセットの数、
前記端末にサポートされるコヒーレント伝送が可能なアンテナパネルの数、
前記端末にサポートされるスケジューリング指示方式、
の少なくとも１つを含む、請求項９に記載のデータ伝送方法。
【請求項１１】
前記端末にサポートされるスケジューリング指示方式は、
前記端末のアンテナパネル毎に、送信プリコーディング行列インデックスＴＲＭＩ及び／又は送信ランクインデックスＴＲＩを含む目標情報を指示する第１スケジューリング指示方式、
前記端末のアンテナパネル毎に、目標情報及び任意２つのアンテナパネルの間の位置情報を指示する第２スケジューリング指示方式、
ここで、前記位置情報は、幅及び／又は位相重み係数を含み、
前記端末に構成された全てのアンテナパネルが共同で目標情報を指示する第３スケジューリング指示方式、
の少なくとも１種のスケジューリング指示方式を含む、請求項１０に記載のデータ伝送方法。
【請求項１２】
前記予め設定された複数種類の上り伝送方式は、第１上り伝送方式、第２上り伝送方式及び第３上り伝送方式を含み、
ここで、前記第１上り伝送方式は、端末に構成された少なくとも２つのアンテナパネルから１つのアンテナパネルを選択し、選択した前記アンテナパネルから上りデータの全てのデータ層を伝送することを指し、
前記第２上り伝送方式は、上りデータの全てのデータ層を前記端末のアンテナパネル毎にそれぞれ伝送することを指し、
前記第３上り伝送方式は、前記上りデータの全てのデータ層をＮグループに分け、各グループのデータ層を１つのアンテナパネルから送信することを指し、ここで、各グループのデータ層とアンテナパネルとは一対一に対応し、Ｎは、前記端末のアンテナパネル数であり、且つＮは、１より大きい正の整数である、請求項１０又は１１に記載のデータ伝送方法。
【請求項１３】
前記端末の伝送能力に基づいて、予め設定された複数種類の上り伝送方式から少なくとも１種の上り伝送方式を選択して端末に指示することは、
前記端末にサポートされる同時上り伝送が可能なアンテナパネルの数が１であり、又は前記端末にサポートされるビーム管理に利用可能な上りリソースセットの数が１である場合、前記第１上り伝送方式を端末に指示することと、
前記端末にサポートされる同時上り伝送が可能なアンテナパネルの数、又は前記端末にサポートされるビーム管理に利用可能な上りリソースセットの数がＭ（Ｍは、１より大きい正の整数）であり、且つ前記端末にサポートされるコヒーレント伝送が可能なアンテナパネルの数が１である場合、前記第１上り伝送方式又は前記第３上り伝送方式を端末に指示することと、
前記端末にサポートされる同時上り伝送が可能なアンテナパネルの数、又は前記端末にサポートされるビーム管理に利用可能な上りリソースセットの数がＭであり、且つ前記端末にサポートされるコヒーレント伝送が可能なアンテナパネルの数がＭである場合、前記第１上り伝送方式又は前記第２上り伝送方式を端末に指示することと、
前記端末にサポートされる同時上り伝送が可能なアンテナパネルの数、又は前記端末にサポートされるビーム管理に利用可能な上りリソースセットの数がＭであり、且つ前記端末にサポートされるスケジューリング指示方式が前記第１スケジューリング指示方式である場合、前記第１上り伝送方式又は前記第３上り伝送方式を端末に指示することと、
前記端末にサポートされる同時上り伝送が可能なアンテナパネルの数、又は前記端末にサポートされるビーム管理に利用可能な上りリソースセットの数がＭであり、且つ前記端末にサポートされるスケジューリング指示方式が前記第２スケジューリング指示方式又は前記第３スケジューリング指示方式である場合、前記第１上り伝送方式又は前記第２上り伝送方式を端末に指示することとを含む、請求項１２に記載のデータ伝送方法。
【請求項１４】
前記端末の伝送能力には、端末にサポートされるスケジューリング指示方式が含まれ、且つ前記端末にサポートされるスケジューリング指示方式には、少なくとも２種のスケジューリング指示方式が含まれる場合、
端末の伝送能力に基づいて、予め設定された複数種類の上り伝送方式から少なくとも１種の上り伝送方式を選択して端末に指示する前には、更に、
端末の伝送能力に基づいて、端末にサポートされる少なくとも２種のスケジューリング指示方式から１種のスケジューリング指示方式を、端末のスケジューリング指示方式として選択して端末に指示すること、
又は、端末の伝送能力に基づいて、端末にサポートされる少なくとも２種のスケジューリング指示方式から少なくとも１種の推奨スケジューリング指示方式を選択して端末に指示すること、
又は、端末から送信された少なくとも１種の推奨スケジューリング指示方式から１種のスケジューリング指示方式を、前記端末のスケジューリング指示方式として選択して端末に指示することを含む、請求項９に記載のデータ伝送方法。
【請求項１５】
上りリンク伝送用の少なくとも２つのアンテナパネルが構成された端末であって、
トランシーバと、メモリと、プロセッサと、メモリに格納されてプロセッサで実行可能なプログラムを含み、
ここで、前記プロセッサが前記プログラムを実行すると、
端末の伝送能力に対応する目標上り伝送方式を取得することと、
前記目標上り伝送方式における上りデータのデータ層と端末のアンテナパネルとの対応関係に基づいて、前記端末の少なくとも１つのアンテナパネルから上りデータのデータ層を送信することとが実現される、端末。
【請求項１６】
前記プロセッサが前記プログラムを実行すると、更に、
端末の伝送能力に基づいて、予め設定された複数種類の上り伝送方式から少なくとも１種の上り伝送方式を選択して前記目標上り伝送方式とすること、
ここで、異なる上り伝送方式における上りデータのデータ層と端末のアンテナパネルとの対応関係が異なり、
又は、前記端末の伝送能力をネットワーク機器に報告し、前記ネットワーク機器が前記端末の伝送能力に基づいて指示した上り伝送方式を取得し、ネットワーク機器によって指示される上り伝送方式に基づいて前記目標上り伝送方式を決定すること、
又は、端末の伝送能力に基づいて、予め設定された複数種類の上り伝送方式から少なくとも１種の上り伝送方式を選択して推奨上り伝送方式としてネットワーク機器に送信し、前記ネットワーク機器が前記推奨上り伝送方式から選択した上り伝送方式を取得し、前記ネットワーク機器が選択した上り伝送方式に基づいて前記目標上り伝送方式を決定すること、
又は、前記端末の伝送能力をネットワーク機器に報告し、前記ネットワーク機器が前記端末の伝送能力に基づいて指示した少なくとも１種の推奨上り伝送方式を取得し、前記少なくとも１種の推奨上り伝送方式から前記目標上り伝送方式を選択することが実現される、請求項１５に記載の端末。
【請求項１７】
前記端末の伝送能力は、
前記端末にサポートされる同時上り伝送が可能なアンテナパネルの数、
前記端末にサポートされるビーム管理に利用可能な上りリソースセットの数、
前記端末にサポートされるコヒーレント伝送が可能なアンテナパネルの数、
前記端末にサポートされるスケジューリング指示方式、
の少なくとも１つを含む、請求項１６に記載の端末。
【請求項１８】
前記端末にサポートされるスケジューリング指示方式は、
前記端末のアンテナパネル毎に、送信プリコーディング行列インデックスＴＲＭＩ及び／又は送信ランクインデックスＴＲＩを含む目標情報を指示する第１スケジューリング指示方式、
前記端末のアンテナパネル毎に、目標情報及び任意２つのアンテナパネルの間の幅及び／又は位相重み係数を指示する第２スケジューリング指示方式、
前記端末に構成された全てのアンテナパネルが共同で目標情報を指示する第３スケジューリング指示方式、
の少なくとも１種のスケジューリング指示方式を含む、請求項１７に記載の端末。
【請求項１９】
前記予め設定された複数種類の上り伝送方式は、第１上り伝送方式、第２上り伝送方式及び第３上り伝送方式を含み、
ここで、前記第１上り伝送方式は、端末に構成された少なくとも２つのアンテナパネルから１つのアンテナパネルを選択し、選択した前記アンテナパネルから上りデータの全てのデータ層を伝送することを指し、
前記第２上り伝送方式は、上りデータの全てのデータ層を前記端末のアンテナパネル毎にそれぞれ伝送することを指し、
前記第３上り伝送方式は、前記上りデータの全てのデータ層をＮグループに分け、各グループのデータ層を１つのアンテナパネルから送信することを指し、ここで、各グループのデータ層とアンテナパネルとは一対一に対応し、Ｎは、前記端末のアンテナパネル数であり、且つＮは、１より大きい正の整数である、請求項１７又は１８に記載の端末。
【請求項２０】
前記プロセッサが前記プログラムを実行すると、更に、
前記端末にサポートされる同時上り伝送が可能なアンテナパネルの数が１であり、又は前記端末にサポートされるビーム管理に利用可能な上りリソースセットの数が１である場合、前記目標上り伝送方式を前記第１上り伝送方式に決定することと、
前記端末にサポートされる同時上り伝送が可能なアンテナパネルの数、又は前記端末にサポートされるビーム管理に利用可能な上りリソースセットの数がＭ（Ｍは、１より大きい正の整数）であり、且つ前記端末にサポートされるコヒーレント伝送が可能なアンテナパネルの数が１である場合、前記目標上り伝送方式を前記第１上り伝送方式又は前記第３上り伝送方式に決定することと、
前記端末にサポートされる同時上り伝送が可能なアンテナパネルの数、又は前記端末にサポートされるビーム管理に利用可能な上りリソースセットの数がＭであり、且つ前記端末にサポートされるコヒーレント伝送が可能なアンテナパネルの数がＭである場合、前記目標上り伝送方式を前記第１上り伝送方式又は前記第２上り伝送方式に決定することと、
前記端末にサポートされる同時上り伝送が可能なアンテナパネルの数、又は前記端末にサポートされるビーム管理に利用可能な上りリソースセットの数がＭであり、且つ前記端末にサポートされるスケジューリング指示方式が前記第１スケジューリング指示方式である場合、前記目標上り伝送方式を前記第１上り伝送方式又は前記第３上り伝送方式に決定することと、
前記端末にサポートされる同時上り伝送が可能なアンテナパネルの数、又は前記端末にサポートされるビーム管理に利用可能な上りリソースセットの数がＭであり、且つ前記端末にサポートされるスケジューリング指示方式が前記第２スケジューリング指示方式又は前記第３スケジューリング指示方式である場合、前記目標上り伝送方式を前記第１上り伝送方式又は前記第２上り伝送方式に決定することとが実現される、請求項１９に記載の端末。
【請求項２１】
前記端末の伝送能力には、端末にサポートされるスケジューリング指示方式が含まれ、且つ前記端末にサポートされるスケジューリング指示方式には、少なくとも２種のスケジューリング指示方式が含まれる場合、
前記プロセッサが前記プログラムを実行すると、更に、
端末の伝送能力に基づいて、端末にサポートされる少なくとも２種のスケジューリング指示方式から１種のスケジューリング指示方式を選択して前記端末のスケジューリング指示方式とすること、
又は、端末の伝送能力をネットワーク機器に報告し、ネットワーク機器が前記端末の伝送能力に基づいて、端末にサポートされる少なくとも２種のスケジューリング指示方式から選択した１種のスケジューリング指示方式を取得し、前記端末のスケジューリング指示方式とすること、
又は、端末の伝送能力をネットワーク機器に報告し、ネットワーク機器が前記端末の伝送能力に基づいて、端末にサポートされる少なくとも２種のスケジューリング指示方式から選択した少なくとも１種の推奨スケジューリング指示方式を取得し、前記少なくとも１種の推奨スケジューリング指示方式から１種のスケジューリング指示方式を選択して前記端末のスケジューリング指示方式とすること、
又は、端末の伝送能力に基づいて、端末にサポートされる少なくとも２種のスケジューリング指示方式から少なくとも１種の推奨スケジューリング指示方式を決定してネットワーク機器に送信し、前記ネットワーク機器が前記少なくとも１種の推奨スケジューリング指示方式から選択したスケジューリング指示方式を前記端末のスケジューリング指示方式とすることが実現される、請求項１６に記載の端末。
【請求項２２】
コンピュータプログラムが格納されているコンピュータ読み取り可能な記憶媒体であって、
該コンピュータプログラムがプロセッサによって実行されると、請求項１〜７のいずれか１項に記載のデータ伝送方法が実現される、コンピュータ読み取り可能な記憶媒体。
【請求項２３】
トランシーバと、メモリと、プロセッサと、メモリに格納されてプロセッサで実行可能なプログラムを含むネットワーク機器であって、
ここで、前記プロセッサが前記プログラムを実行すると、
端末から報告された伝送情報であって、端末の伝送能力に対応する少なくとも１種の推奨上り伝送方式及び／又は端末の伝送能力を含む伝送情報をトランシーバで取得することと、
前記伝送情報に基づいて、上り伝送方式を端末に指示することとが実現される、ネットワーク機器。
【請求項２４】
前記プロセッサが前記プログラムを実行すると、更に、
前記伝送情報が端末の伝送能力である場合、端末の伝送能力に基づいて、予め設定された複数種類の上り伝送方式から少なくとも１種の上り伝送方式を選択して端末に指示すること、
又は、前記伝送情報が、端末の伝送能力に対応する少なくとも１種の推奨上り伝送方式と端末の伝送能力である場合、前記少なくとも１種の推奨上り伝送方式から、端末の伝送能力に基づいて少なくとも１種の上り伝送方式を選択して端末に指示すること、
又は、前記伝送情報が、端末の伝送能力に対応する少なくとも１種の推奨上り伝送方式である場合、前記少なくとも１種の推奨上り伝送方式から少なくとも１種の上り伝送方式を選択して端末に指示することが実現される、請求項２３に記載のネットワーク機器。
【請求項２５】
前記端末の伝送能力は、
前記端末にサポートされる同時上り伝送が可能なアンテナパネルの数、
前記端末にサポートされるビーム管理に利用可能な上りリソースセットの数、
前記端末にサポートされるコヒーレント伝送が可能なアンテナパネルの数、
前記端末にサポートされるスケジューリング指示方式、
の少なくとも１つを含む、請求項２４に記載のネットワーク機器。
【請求項２６】
前記端末にサポートされるスケジューリング指示方式は、
前記端末のアンテナパネル毎に、送信プリコーディング行列インデックスＴＲＭＩ及び／又は送信ランクインデックスＴＲＩを含む目標情報を指示する第１スケジューリング指示方式、
前記端末のアンテナパネル毎に、目標情報及び任意２つのアンテナパネルの間の位置情報を指示する第２スケジューリング指示方式、
ここで、前記位置情報は、幅及び／又は位相重み係数を含み、
前記端末に構成された全てのアンテナパネルが共同で目標情報を指示する第３スケジューリング指示方式、
の少なくとも１種のスケジューリング指示方式を含む、請求項２５に記載のネットワーク機器。
【請求項２７】
前記予め設定された複数種類の上り伝送方式は、第１上り伝送方式、第２上り伝送方式及び第３上り伝送方式を含み、
ここで、前記第１上り伝送方式は、端末に構成された少なくとも２つのアンテナパネルから１つのアンテナパネルを選択し、選択した前記アンテナパネルから上りデータの全てのデータ層を伝送することを指し、
前記第２上り伝送方式は、上りデータの全てのデータ層を前記端末のアンテナパネル毎にそれぞれ伝送することを指し、
前記第３上り伝送方式は、前記上りデータの全てのデータ層をＮグループに分け、各グループのデータ層を１つのアンテナパネルから送信することを指し、ここで、各グループのデータ層とアンテナパネルとは一対一に対応し、Ｎは、前記端末のアンテナパネル数であり、且つＮは、１より大きい正の整数である、請求項２５又は２６に記載のネットワーク機器。
【請求項２８】
前記プロセッサが前記プログラムを実行すると、更に、
前記端末にサポートされる同時上り伝送が可能なアンテナパネルの数が１であり、又は前記端末にサポートされるビーム管理に利用可能な上りリソースセットの数が１である場合、前記第１上り伝送方式を端末に指示することと、
前記端末にサポートされる同時上り伝送が可能なアンテナパネルの数、又は前記端末にサポートされるビーム管理に利用可能な上りリソースセットの数がＭ（Ｍは、１より大きい正の整数）であり、且つ前記端末にサポートされるコヒーレント伝送が可能なアンテナパネルの数が１である場合、前記第１上り伝送方式又は前記第３上り伝送方式を端末に指示することと、
前記端末にサポートされる同時上り伝送が可能なアンテナパネルの数、又は前記端末にサポートされるビーム管理に利用可能な上りリソースセットの数がＭであり、且つ前記端末にサポートされるコヒーレント伝送が可能なアンテナパネルの数がＭである場合、前記第１上り伝送方式又は前記第２上り伝送方式を端末に指示することと、
前記端末にサポートされる同時上り伝送が可能なアンテナパネルの数、又は前記端末にサポートされるビーム管理に利用可能な上りリソースセットの数がＭであり、且つ前記端末にサポートされるスケジューリング指示方式が前記第１スケジューリング指示方式である場合、前記第１上り伝送方式又は前記第３上り伝送方式を端末に指示することと、
前記端末にサポートされる同時上り伝送が可能なアンテナパネルの数、又は前記端末にサポートされるビーム管理に利用可能な上りリソースセットの数がＭであり、且つ前記端末にサポートされるスケジューリング指示方式が前記第２スケジューリング指示方式又は前記第３スケジューリング指示方式である場合、前記第１上り伝送方式又は前記第２上り伝送方式を端末に指示することとが実現される、請求項２７に記載のネットワーク機器。
【請求項２９】
前記端末の伝送能力には、端末にサポートされるスケジューリング指示方式が含まれ、且つ前記端末にサポートされるスケジューリング指示方式には、少なくとも２種のスケジューリング指示方式が含まれる場合、
前記プロセッサが前記プログラムを実行すると、更に、
端末の伝送能力に基づいて、端末にサポートされる少なくとも２種のスケジューリング指示方式から１種のスケジューリング指示方式を、端末のスケジューリング指示方式として選択して端末に指示すること、
又は、端末の伝送能力に基づいて、端末にサポートされる少なくとも２種のスケジューリング指示方式から少なくとも１種の推奨スケジューリング指示方式を選択して端末に指示すること、
又は、端末から送信された少なくとも１種の推奨スケジューリング指示方式から１種のスケジューリング指示方式を、前記端末のスケジューリング指示方式として選択して端末に指示することが実現される、請求項２４に記載のネットワーク機器。
【請求項３０】
コンピュータプログラムが格納されているコンピュータ読み取り可能な記憶媒体であって、
該コンピュータプログラムがプロセッサによって実行されると、請求項８〜１４のいずれか１項に記載のデータ伝送方法が実現される、コンピュータ読み取り可能な記憶媒体。
【請求項３１】
上りリンク伝送用の少なくとも２つのアンテナパネルが構成された端末であって、
端末の伝送能力に対応する目標上り伝送方式を取得する第１取得モジュールと、
前記目標上り伝送方式における上りデータのデータ層と端末のアンテナパネルとの対応関係に基づいて、前記端末の少なくとも１つのアンテナパネルから上りデータのデータ層を送信する送信モジュールと、
を含む、端末。
【請求項３２】
前記第１取得モジュールは、
端末の伝送能力に基づいて、予め設定された複数種類の上り伝送方式から少なくとも１種の上り伝送方式を選択して前記目標上り伝送方式とし、
ここで、異なる上り伝送方式における上りデータのデータ層と端末のアンテナパネルとの対応関係が異なり、
又は、前記端末の伝送能力をネットワーク機器に報告し、前記ネットワーク機器が前記端末の伝送能力に基づいて指示した上り伝送方式を取得し、ネットワーク機器によって指示される上り伝送方式に基づいて前記目標上り伝送方式を決定し、
又は、端末の伝送能力に基づいて、予め設定された複数種類の上り伝送方式から少なくとも１種の上り伝送方式を選択して推奨上り伝送方式としてネットワーク機器に送信し、前記ネットワーク機器が前記推奨上り伝送方式から選択した上り伝送方式を取得し、前記ネットワーク機器が選択した上り伝送方式に基づいて前記目標上り伝送方式を決定し、
又は、前記端末の伝送能力をネットワーク機器に報告し、前記ネットワーク機器が前記端末の伝送能力に基づいて指示した少なくとも１種の推奨上り伝送方式を取得し、前記少なくとも１種の推奨上り伝送方式から前記目標上り伝送方式を選択する、請求項３１に記載の端末。
【請求項３３】
端末から報告された伝送情報であって、端末の伝送能力に対応する少なくとも１種の推奨上り伝送方式及び／又は端末の伝送能力を含む伝送情報を取得する第２取得モジュールと、
前記伝送情報に基づいて、上り伝送方式を端末に指示する指示モジュールと、
を含む、ネットワーク機器。
【請求項３４】
前記指示モジュールは、
前記伝送情報が端末の伝送能力である場合、端末の伝送能力に基づいて、予め設定された複数種類の上り伝送方式から少なくとも１種の上り伝送方式を選択して端末に指示し、
又は、前記伝送情報が、端末の伝送能力に対応する少なくとも１種の推奨上り伝送方式と端末の伝送能力である場合、前記少なくとも１種の推奨上り伝送方式から、端末の伝送能力に基づいて少なくとも１種の上り伝送方式を選択して端末に指示し、
又は、前記伝送情報が、端末の伝送能力に対応する少なくとも１種の推奨上り伝送方式である場合、前記少なくとも１種の推奨上り伝送方式から少なくとも１種の上り伝送方式を選択して端末に指示する、請求項３３に記載のネットワーク機器。
【発明の詳細な説明】
【技術分野】
【０００１】
関連出願の相互参照
本願は、２０１８年８月１７日に中国特許庁に提出された中国特許出願２０１８１０９４２４６９．５の優先権を主張し、その全ての内容が援用によりここに取り込まれる。
本開示は、通信応用の技術分野に係り、特にデータ伝送方法、端末及びネットワーク機器に係る。
【背景技術】
【０００２】
関連技術において、複数の送信アンテナが構成されたユーザ機器又は端末ＵＥ（Ｕｓｅｒ  Ｅｑｕｉｐｍｅｎｔ）は、アップリンクビームフォーミングを実行することができる。アップリンクＵＬビームフォーミング行列を決定するために、無線リソース制御接続（ＲＲＣ＿ＣＯＮＮＥＣＴＥＤ）状態にあるＵＥは、半静的に複数のＵＥ固有のアップリンクサウンディング基準信号ＳＲＳ（Ｓｏｕｎｄｉｎｇ  Ｒｅｆｅｒｅｎｃｅ  Ｓｉｇｎａｌ）リソースが構成されている。各ＳＲＳリソース上で伝送されるＳＲＳ信号は、特定のビームフォーミング行列を用いてビームフォーミングされる。ＵＥは、アップリンクでこれらのＳＲＳリソースを送信する。送受信ポイントＴＲＰ（ｔｒａｎｓｍｉｓｓｉｏｎ  ａｎｄ  ｒｅｃｅｐｔｉｏｎ  ｐｏｉｎｔ）は、異なるＳＲＳリソースの信号品質を測定し、好ましいＳＲＳリソースを選択する。ＴＲＰは、選択されたＳＲＳリソースのインデックス（ＳＲＳリソースインジケータＳＲＩ（ＳＲＳ  ｒｅｓｏｕｒｃｅ  ｉｎｄｉｃａｔｏｒ））を、下り制御情報ＤＣＩ（Ｄｏｗｎｌｉｎｋ  Ｃｏｎｔｒｏｌ  Ｉｎｆｏｒｍａｔｉｏｎ）を介してＵＥに送信する。ＵＥは、ＳＲＩから、ＴＲＰが将来のアップリンク伝送のためにどのアップリンクビームフォーミング行列（例えば、ＳＲＳリソース）を推奨するかを推定することができる。ＵＥは、その後、ＳＲＩによって指示されるアップリンクビームフォーミング行列を将来のアップリンク伝送に用いる。
【０００３】
ＵＥは、アップリンク伝送用の複数のアンテナパネルを有する。各アンテナパネルは、１つのアンテナ素子群からなる。アンテナパネルの正確な数、アンテナ素子の数及び各パネル内のアンテナ素子の配置は、具体的な実現方式に応じて決められ、ＵＥ毎に実現方式が異なる。ＵＥは、一度に１つのパネルから１つのデータ層を送信する。ＵＥは、同時にアンテナパネルのサブセット（１つより多いアンテナを含む）から１つのデータ層を送信してもよい。ここでの説明は、ＳＲＳリソース（ＳＲＳ信号の伝送）にも適用する。しかしながら、関連技術の規格では、マルチアンテナパネルからのジョイントデータ伝送を端末がサポートする場合、端末のアンテナパネルからどのように上りデータの伝送を行うかについて、関連の記載がない。
【発明の概要】
【解決しようとする技術課題】
【０００４】
本開示の目的は、マルチアンテナパネルからのジョイントデータ伝送を端末がサポートする場合、端末のアンテナパネルからどのように上りデータの伝送を行うかについての関連記載がないという関連技術の規格での問題を解決するために、データ伝送方法、端末及びネットワーク機器を提供することにある。
【課題を解決するための手段】
【０００５】
上記目的を実現するために、本開示に係る、上りリンク伝送用の少なくとも２つのアンテナパネルが構成された端末に応用されるデータ伝送方法は、
端末の伝送能力に対応する目標上り伝送方式を取得することと、
前記目標上り伝送方式における上りデータのデータ層と端末のアンテナパネルとの対応関係に基づいて、前記端末の少なくとも１つのアンテナパネルから上りデータのデータ層を送信することと、
を含む。
【０００６】
ここで、端末の伝送能力に対応する目標上り伝送方式を取得することは、
端末の伝送能力に基づいて、予め設定された複数種類の上り伝送方式から少なくとも１種の上り伝送方式を選択して前記目標上り伝送方式とすること、
ここで、異なる上り伝送方式における上りデータのデータ層と端末のアンテナパネルとの対応関係が異なり、
又は、前記端末の伝送能力をネットワーク機器に報告し、前記ネットワーク機器が前記端末の伝送能力に基づいて指示した上り伝送方式を取得し、ネットワーク機器によって指示される上り伝送方式に基づいて前記目標上り伝送方式を決定すること、
又は、端末の伝送能力に基づいて、予め設定された複数種類の上り伝送方式から少なくとも１種の上り伝送方式を選択して推奨上り伝送方式としてネットワーク機器に送信し、前記ネットワーク機器が前記推奨上り伝送方式から選択した上り伝送方式を取得し、前記ネットワーク機器が選択した上り伝送方式に基づいて前記目標上り伝送方式を決定すること、
又は、前記端末の伝送能力をネットワーク機器に報告し、前記ネットワーク機器が前記端末の伝送能力に基づいて指示した少なくとも１種の推奨上り伝送方式を取得し、前記少なくとも１種の推奨上り伝送方式から前記目標上り伝送方式を選択することを含む。
【０００７】
ここで、前記端末の伝送能力は、
前記端末にサポートされる同時上り伝送が可能なアンテナパネルの数、
前記端末にサポートされるビーム管理に利用可能な上りリソースセットの数、
前記端末にサポートされるコヒーレント伝送が可能なアンテナパネルの数、
前記端末にサポートされるスケジューリング指示方式、
の少なくとも１つを含む。
【０００８】
ここで、前記端末にサポートされるスケジューリング指示方式は、
前記端末のアンテナパネル毎に、送信プリコーディング行列インデックスＴＲＭＩ及び／又は送信ランクインデックスＴＲＩを含む目標情報を指示する第１スケジューリング指示方式、
前記端末のアンテナパネル毎に、目標情報及び任意２つのアンテナパネルの間の幅及び／又は位相重み係数を指示する第２スケジューリング指示方式、
前記端末に構成された全てのアンテナパネルが共同で目標情報を指示する第３スケジューリング指示方式、
の少なくとも１種のスケジューリング指示方式を含む。
【０００９】
ここで、前記予め設定された複数種類の上り伝送方式は、第１上り伝送方式、第２上り伝送方式及び第３上り伝送方式を含み、
ここで、前記第１上り伝送方式は、端末に構成された少なくとも２つのアンテナパネルから１つのアンテナパネルを選択し、選択した前記アンテナパネルから上りデータの全てのデータ層を伝送することを指し、
前記第２上り伝送方式は、上りデータの全てのデータ層を前記端末のアンテナパネル毎にそれぞれ伝送することを指し、
前記第３上り伝送方式は、前記上りデータの全てのデータ層をＮグループに分け、各グループのデータ層を１つのアンテナパネルから送信することを指す。ここで、各グループのデータ層とアンテナパネルとは一対一に対応し、Ｎは、前記端末のアンテナパネル数であり、且つＮは、１より大きい正の整数である。
【００１０】
ここで、前記端末の伝送能力に基づいて、予め設定された複数種類の上り伝送方式から少なくとも１種の上り伝送方式を選択して前記目標上り伝送方式とすることは、
前記端末にサポートされる同時上り伝送が可能なアンテナパネルの数が１であり、又は前記端末にサポートされるビーム管理に利用可能な上りリソースセットの数が１である場合、前記目標上り伝送方式を前記第１上り伝送方式に決定することと、
前記端末にサポートされる同時上り伝送が可能なアンテナパネルの数、又は前記端末にサポートされるビーム管理に利用可能な上りリソースセットの数がＭ（Ｍは、１より大きい正の整数）であり、且つ前記端末にサポートされるコヒーレント伝送が可能なアンテナパネルの数が１である場合、前記目標上り伝送方式を前記第１上り伝送方式又は前記第３上り伝送方式に決定することと、
前記端末にサポートされる同時上り伝送が可能なアンテナパネルの数、又は前記端末にサポートされるビーム管理に利用可能な上りリソースセットの数がＭであり、且つ前記端末にサポートされるコヒーレント伝送が可能なアンテナパネルの数がＭである場合、前記目標上り伝送方式を前記第１上り伝送方式又は前記第２上り伝送方式に決定することと、
前記端末にサポートされる同時上り伝送が可能なアンテナパネルの数、又は前記端末にサポートされるビーム管理に利用可能な上りリソースセットの数がＭであり、且つ前記端末にサポートされるスケジューリング指示方式が前記第１スケジューリング指示方式である場合、前記目標上り伝送方式を前記第１上り伝送方式又は前記第３上り伝送方式に決定することと、
前記端末にサポートされる同時上り伝送が可能なアンテナパネルの数、又は前記端末にサポートされるビーム管理に利用可能な上りリソースセットの数がＭであり、且つ前記端末にサポートされるスケジューリング指示方式が前記第２スケジューリング指示方式又は前記第３スケジューリング指示方式である場合、前記目標上り伝送方式を前記第１上り伝送方式又は前記第２上り伝送方式に決定することとを含む。
【００１１】
ここで、前記端末の伝送能力には、端末にサポートされるスケジューリング指示方式が含まれ、且つ前記端末にサポートされるスケジューリング指示方式には、少なくとも２種のスケジューリング指示方式が含まれる場合、
端末の伝送能力に基づいて、予め設定された複数種類の上り伝送方式から少なくとも１種の上り伝送方式を選択して前記目標上り伝送方式とする前には、更に、
端末の伝送能力に基づいて、端末にサポートされる少なくとも２種のスケジューリング指示方式から１種のスケジューリング指示方式を選択して前記端末のスケジューリング指示方式とすること、
又は、端末の伝送能力をネットワーク機器に報告し、ネットワーク機器が前記端末の伝送能力に基づいて、端末にサポートされる少なくとも２種のスケジューリング指示方式から選択した１種のスケジューリング指示方式を取得し、前記端末のスケジューリング指示方式とすること、
又は、端末の伝送能力をネットワーク機器に報告し、ネットワーク機器が前記端末の伝送能力に基づいて、端末にサポートされる少なくとも２種のスケジューリング指示方式から選択した少なくとも１種の推奨スケジューリング指示方式を取得し、前記少なくとも１種の推奨スケジューリング指示方式から１種のスケジューリング指示方式を選択して前記端末のスケジューリング指示方式とすること、
又は、端末の伝送能力に基づいて、端末にサポートされる少なくとも２種のスケジューリング指示方式から少なくとも１種の推奨スケジューリング指示方式を決定してネットワーク機器に送信し、前記ネットワーク機器が前記少なくとも１種の推奨スケジューリング指示方式から選択したスケジューリング指示方式を前記端末のスケジューリング指示方式とすることを含む。
【００１２】
上記目的を実現するために、本開示の実施例に係る、ネットワーク機器に応用されるデータ伝送方法は、
端末から報告された伝送情報であって、端末の伝送能力に対応する少なくとも１種の推奨上り伝送方式及び／又は端末の伝送能力を含む伝送情報を取得することと、
前記伝送情報に基づいて、上り伝送方式を端末に指示することと、
を含む。
【００１３】
ここで、前記伝送情報に基づいて、上り伝送方式を端末に指示することは、
前記伝送情報が端末の伝送能力である場合、端末の伝送能力に基づいて、予め設定された複数種類の上り伝送方式から少なくとも１種の上り伝送方式を選択して端末に指示すること、
又は、前記伝送情報が、端末の伝送能力に対応する少なくとも１種の推奨上り伝送方式と端末の伝送能力である場合、前記少なくとも１種の推奨上り伝送方式から、端末の伝送能力に基づいて少なくとも１種の上り伝送方式を選択して端末に指示すること、
又は、前記伝送情報が、端末の伝送能力に対応する少なくとも１種の推奨上り伝送方式である場合、前記少なくとも１種の推奨上り伝送方式から少なくとも１種の上り伝送方式を選択して端末に指示することを含む。
【００１４】
ここで、前記端末の伝送能力は、
前記端末にサポートされる同時上り伝送が可能なアンテナパネルの数、
前記端末にサポートされるビーム管理に利用可能な上りリソースセットの数、
前記端末にサポートされるコヒーレント伝送が可能なアンテナパネルの数、
前記端末にサポートされるスケジューリング指示方式、
の少なくとも１つを含む。
【００１５】
ここで、前記端末にサポートされるスケジューリング指示方式は、
前記端末のアンテナパネル毎に、送信プリコーディング行列インデックスＴＲＭＩ及び／又は送信ランクインデックスＴＲＩを含む目標情報を指示する第１スケジューリング指示方式、
前記端末のアンテナパネル毎に、目標情報及び任意２つのアンテナパネルの間の位置情報を指示する第２スケジューリング指示方式、
ここで、前記位置情報は、幅及び／又は位相重み係数を含み、
前記端末に構成された全てのアンテナパネルが共同で目標情報を指示する第３スケジューリング指示方式、
の少なくとも１種のスケジューリング指示方式を含む。
【００１６】
ここで、前記予め設定された複数種類の上り伝送方式は、第１上り伝送方式、第２上り伝送方式及び第３上り伝送方式を含み、
ここで、前記第１上り伝送方式は、端末に構成された少なくとも２つのアンテナパネルから１つのアンテナパネルを選択し、選択した前記アンテナパネルから上りデータの全てのデータ層を伝送することを指し、
前記第２上り伝送方式は、上りデータの全てのデータ層を前記端末のアンテナパネル毎にそれぞれ伝送することを指し、
前記第３上り伝送方式は、前記上りデータの全てのデータ層をＮグループに分け、各グループのデータ層を１つのアンテナパネルから送信することを指す。ここで、各グループのデータ層とアンテナパネルとは一対一に対応し、Ｎは、前記端末のアンテナパネル数であり、且つＮは、１より大きい正の整数である。
【００１７】
ここで、前記端末の伝送能力に基づいて、予め設定された複数種類の上り伝送方式から少なくとも１種の上り伝送方式を選択して端末に指示することは、
前記端末にサポートされる同時上り伝送が可能なアンテナパネルの数が１であり、又は前記端末にサポートされるビーム管理に利用可能な上りリソースセットの数が１である場合、前記第１上り伝送方式を端末に指示することと、
前記端末にサポートされる同時上り伝送が可能なアンテナパネルの数、又は前記端末にサポートされるビーム管理に利用可能な上りリソースセットの数がＭ（Ｍは、１より大きい正の整数）であり、且つ前記端末にサポートされるコヒーレント伝送が可能なアンテナパネルの数が１である場合、前記第１上り伝送方式又は前記第３上り伝送方式を端末に指示することと、
前記端末にサポートされる同時上り伝送が可能なアンテナパネルの数、又は前記端末にサポートされるビーム管理に利用可能な上りリソースセットの数がＭであり、且つ前記端末にサポートされるコヒーレント伝送が可能なアンテナパネルの数がＭである場合、前記第１上り伝送方式又は前記第２上り伝送方式を端末に指示することと、
前記端末にサポートされる同時上り伝送が可能なアンテナパネルの数、又は前記端末にサポートされるビーム管理に利用可能な上りリソースセットの数がＭであり、且つ前記端末にサポートされるスケジューリング指示方式が前記第１スケジューリング指示方式である場合、前記第１上り伝送方式又は前記第３上り伝送方式を端末に指示することと、
前記端末にサポートされる同時上り伝送が可能なアンテナパネルの数、又は前記端末にサポートされるビーム管理に利用可能な上りリソースセットの数がＭであり、且つ前記端末にサポートされるスケジューリング指示方式が前記第２スケジューリング指示方式又は前記第３スケジューリング指示方式である場合、前記第１上り伝送方式又は前記第２上り伝送方式を端末に指示することとを含む。
【００１８】
ここで、前記端末の伝送能力には、端末にサポートされるスケジューリング指示方式が含まれ、且つ前記端末にサポートされるスケジューリング指示方式には、少なくとも２種のスケジューリング指示方式が含まれる場合、
端末の伝送能力に基づいて、予め設定された複数種類の上り伝送方式から少なくとも１種の上り伝送方式を選択して端末に指示する前には、更に、
端末の伝送能力に基づいて、端末にサポートされる少なくとも２種のスケジューリング指示方式から１種のスケジューリング指示方式を、端末のスケジューリング指示方式として選択して端末に指示すること、
又は、端末の伝送能力に基づいて、端末にサポートされる少なくとも２種のスケジューリング指示方式から少なくとも１種の推奨スケジューリング指示方式を選択して端末に指示すること、
又は、端末から送信された少なくとも１種の推奨スケジューリング指示方式から１種のスケジューリング指示方式を、前記端末のスケジューリング指示方式として選択して端末に指示することを含む。
【００１９】
上記目的を実現するために、本開示の実施例に係る、上りリンク伝送用の少なくとも２つのアンテナパネルが構成された端末は、
トランシーバと、メモリと、プロセッサと、メモリに格納されてプロセッサで実行可能なプログラムを含み、
ここで、前記プロセッサが前記プログラムを実行すると、
端末の伝送能力に対応する目標上り伝送方式を取得することと、
前記目標上り伝送方式における上りデータのデータ層と端末のアンテナパネルとの対応関係に基づいて、前記端末の少なくとも１つのアンテナパネルから上りデータのデータ層を送信することとが実現される。
【００２０】
ここで、前記プロセッサが前記プログラムを実行すると、更に、
端末の伝送能力に基づいて、予め設定された複数種類の上り伝送方式から少なくとも１種の上り伝送方式を選択して前記目標上り伝送方式とすること、
ここで、異なる上り伝送方式における上りデータのデータ層と端末のアンテナパネルとの対応関係が異なり、
又は、前記端末の伝送能力をネットワーク機器に報告し、前記ネットワーク機器が前記端末の伝送能力に基づいて指示した上り伝送方式を取得し、ネットワーク機器によって指示される上り伝送方式に基づいて前記目標上り伝送方式を決定すること、
又は、端末の伝送能力に基づいて、予め設定された複数種類の上り伝送方式から少なくとも１種の上り伝送方式を選択して推奨上り伝送方式としてネットワーク機器に送信し、前記ネットワーク機器が前記推奨上り伝送方式から選択した上り伝送方式を取得し、前記ネットワーク機器が選択した上り伝送方式に基づいて前記目標上り伝送方式を決定すること、
又は、前記端末の伝送能力をネットワーク機器に報告し、前記ネットワーク機器が前記端末の伝送能力に基づいて指示した少なくとも１種の推奨上り伝送方式を取得し、前記少なくとも１種の推奨上り伝送方式から前記目標上り伝送方式を選択することが実現される。
【００２１】
ここで、前記端末の伝送能力は、
前記端末にサポートされる同時上り伝送が可能なアンテナパネルの数、
前記端末にサポートされるビーム管理に利用可能な上りリソースセットの数、
前記端末にサポートされるコヒーレント伝送が可能なアンテナパネルの数、
前記端末にサポートされるスケジューリング指示方式、
の少なくとも１つを含む。
【００２２】
ここで、前記端末にサポートされるスケジューリング指示方式は、
前記端末のアンテナパネル毎に、送信プリコーディング行列インデックスＴＲＭＩ及び／又は送信ランクインデックスＴＲＩを含む目標情報を指示する第１スケジューリング指示方式、
前記端末のアンテナパネル毎に、目標情報及び任意２つのアンテナパネルの間の幅及び／又は位相重み係数を指示する第２スケジューリング指示方式、
前記端末に構成された全てのアンテナパネルが共同で目標情報を指示する第３スケジューリング指示方式、
の少なくとも１種のスケジューリング指示方式を含む。
【００２３】
ここで、前記予め設定された複数種類の上り伝送方式は、第１上り伝送方式、第２上り伝送方式及び第３上り伝送方式を含み、
ここで、前記第１上り伝送方式は、端末に構成された少なくとも２つのアンテナパネルから１つのアンテナパネルを選択し、選択した前記アンテナパネルから上りデータの全てのデータ層を伝送することを指し、
前記第２上り伝送方式は、上りデータの全てのデータ層を前記端末のアンテナパネル毎にそれぞれ伝送することを指し、
前記第３上り伝送方式は、前記上りデータの全てのデータ層をＮグループに分け、各グループのデータ層を１つのアンテナパネルから送信することを指す。ここで、各グループのデータ層とアンテナパネルとは一対一に対応し、Ｎは、前記端末のアンテナパネル数であり、且つＮは、１より大きい正の整数である。
【００２４】
ここで、前記プロセッサが前記プログラムを実行すると、更に、
前記端末にサポートされる同時上り伝送が可能なアンテナパネルの数が１であり、又は前記端末にサポートされるビーム管理に利用可能な上りリソースセットの数が１である場合、前記目標上り伝送方式を前記第１上り伝送方式に決定することと、
前記端末にサポートされる同時上り伝送が可能なアンテナパネルの数、又は前記端末にサポートされるビーム管理に利用可能な上りリソースセットの数がＭ（Ｍは、１より大きい正の整数）であり、且つ前記端末にサポートされるコヒーレント伝送が可能なアンテナパネルの数が１である場合、前記目標上り伝送方式を前記第１上り伝送方式又は前記第３上り伝送方式に決定することと、
前記端末にサポートされる同時上り伝送が可能なアンテナパネルの数、又は前記端末にサポートされるビーム管理に利用可能な上りリソースセットの数がＭであり、且つ前記端末にサポートされるコヒーレント伝送が可能なアンテナパネルの数がＭである場合、前記目標上り伝送方式を前記第１上り伝送方式又は前記第２上り伝送方式に決定することと、
前記端末にサポートされる同時上り伝送が可能なアンテナパネルの数、又は前記端末にサポートされるビーム管理に利用可能な上りリソースセットの数がＭであり、且つ前記端末にサポートされるスケジューリング指示方式が前記第１スケジューリング指示方式である場合、前記目標上り伝送方式を前記第１上り伝送方式又は前記第３上り伝送方式に決定することと、
前記端末にサポートされる同時上り伝送が可能なアンテナパネルの数、又は前記端末にサポートされるビーム管理に利用可能な上りリソースセットの数がＭであり、且つ前記端末にサポートされるスケジューリング指示方式が前記第２スケジューリング指示方式又は前記第３スケジューリング指示方式である場合、前記目標上り伝送方式を前記第１上り伝送方式又は前記第２上り伝送方式に決定することとが実現される。
【００２５】
ここで、前記端末の伝送能力には、端末にサポートされるスケジューリング指示方式が含まれ、且つ前記端末にサポートされるスケジューリング指示方式には、少なくとも２種のスケジューリング指示方式が含まれる場合、
前記プロセッサが前記プログラムを実行すると、更に、
端末の伝送能力に基づいて、端末にサポートされる少なくとも２種のスケジューリング指示方式から１種のスケジューリング指示方式を選択して前記端末のスケジューリング指示方式とすること、
又は、端末の伝送能力をネットワーク機器に報告し、ネットワーク機器が前記端末の伝送能力に基づいて、端末にサポートされる少なくとも２種のスケジューリング指示方式から選択した１種のスケジューリング指示方式を取得し、前記端末のスケジューリング指示方式とすること、
又は、端末の伝送能力をネットワーク機器に報告し、ネットワーク機器が前記端末の伝送能力に基づいて、端末にサポートされる少なくとも２種のスケジューリング指示方式から選択した少なくとも１種の推奨スケジューリング指示方式を取得し、前記少なくとも１種の推奨スケジューリング指示方式から１種のスケジューリング指示方式を選択して前記端末のスケジューリング指示方式とすること、
又は、端末の伝送能力に基づいて、端末にサポートされる少なくとも２種のスケジューリング指示方式から少なくとも１種の推奨スケジューリング指示方式を決定してネットワーク機器に送信し、前記ネットワーク機器が前記少なくとも１種の推奨スケジューリング指示方式から選択したスケジューリング指示方式を前記端末のスケジューリング指示方式とすることが実現される。
【００２６】
上記目的を実現するために、本開示の実施例に係る、コンピュータプログラムが格納されているコンピュータ読み取り可能な記憶媒体は、
該コンピュータプログラムがプロセッサによって実行されると、上記データ伝送方法が実現される。
【００２７】
上記目的を実現するために、本開示の実施例に係る、トランシーバと、メモリと、プロセッサと、メモリに格納されてプロセッサで実行可能なプログラムを含むネットワーク機器は、
ここで、前記プロセッサが前記プログラムを実行すると、
端末から報告された伝送情報であって、端末の伝送能力に対応する少なくとも１種の推奨上り伝送方式及び／又は端末の伝送能力を含む伝送情報をトランシーバで取得することと、
前記伝送情報に基づいて、上り伝送方式を端末に指示することとが実現される。
【００２８】
ここで、前記プロセッサが前記プログラムを実行すると、更に、
前記伝送情報が端末の伝送能力である場合、端末の伝送能力に基づいて、予め設定された複数種類の上り伝送方式から少なくとも１種の上り伝送方式を選択して端末に指示すること、
又は、前記伝送情報が、端末の伝送能力に対応する少なくとも１種の推奨上り伝送方式と端末の伝送能力である場合、前記少なくとも１種の推奨上り伝送方式から、端末の伝送能力に基づいて少なくとも１種の上り伝送方式を選択して端末に指示すること、
又は、前記伝送情報が、端末の伝送能力に対応する少なくとも１種の推奨上り伝送方式である場合、前記少なくとも１種の推奨上り伝送方式から少なくとも１種の上り伝送方式を選択して端末に指示することが実現される。
【００２９】
ここで、前記端末の伝送能力は、
前記端末にサポートされる同時上り伝送が可能なアンテナパネルの数、
前記端末にサポートされるビーム管理に利用可能な上りリソースセットの数、
前記端末にサポートされるコヒーレント伝送が可能なアンテナパネルの数、
前記端末にサポートされるスケジューリング指示方式、
の少なくとも１つを含む。
【００３０】
ここで、前記端末にサポートされるスケジューリング指示方式は、
前記端末のアンテナパネル毎に、送信プリコーディング行列インデックスＴＲＭＩ及び／又は送信ランクインデックスＴＲＩを含む目標情報を指示する第１スケジューリング指示方式、
前記端末のアンテナパネル毎に、目標情報及び任意２つのアンテナパネルの間の位置情報を指示する第２スケジューリング指示方式、
ここで、前記位置情報は、幅及び／又は位相重み係数を含み、
前記端末に構成された全てのアンテナパネルが共同で目標情報を指示する第３スケジューリング指示方式、
の少なくとも１種のスケジューリング指示方式を含む。
【００３１】
ここで、前記予め設定された複数種類の上り伝送方式は、第１上り伝送方式、第２上り伝送方式及び第３上り伝送方式を含み、
ここで、前記第１上り伝送方式は、端末に構成された少なくとも２つのアンテナパネルから１つのアンテナパネルを選択し、選択した前記アンテナパネルから上りデータの全てのデータ層を伝送することを指し、
前記第２上り伝送方式は、上りデータの全てのデータ層を前記端末のアンテナパネル毎にそれぞれ伝送することを指し、
前記第３上り伝送方式は、前記上りデータの全てのデータ層をＮグループに分け、各グループのデータ層を１つのアンテナパネルから送信することを指す。ここで、各グループのデータ層とアンテナパネルとは一対一に対応し、Ｎは、前記端末のアンテナパネル数であり、且つＮは、１より大きい正の整数である。
【００３２】
ここで、前記プロセッサが前記プログラムを実行すると、更に、
前記端末にサポートされる同時上り伝送が可能なアンテナパネルの数が１であり、又は前記端末にサポートされるビーム管理に利用可能な上りリソースセットの数が１である場合、前記第１上り伝送方式を端末に指示することと、
前記端末にサポートされる同時上り伝送が可能なアンテナパネルの数、又は前記端末にサポートされるビーム管理に利用可能な上りリソースセットの数がＭ（Ｍは、１より大きい正の整数）であり、且つ前記端末にサポートされるコヒーレント伝送が可能なアンテナパネルの数が１である場合、前記第１上り伝送方式又は前記第３上り伝送方式を端末に指示することと、
前記端末にサポートされる同時上り伝送が可能なアンテナパネルの数、又は前記端末にサポートされるビーム管理に利用可能な上りリソースセットの数がＭであり、且つ前記端末にサポートされるコヒーレント伝送が可能なアンテナパネルの数がＭである場合、前記第１上り伝送方式又は前記第２上り伝送方式を端末に指示することと、
前記端末にサポートされる同時上り伝送が可能なアンテナパネルの数、又は前記端末にサポートされるビーム管理に利用可能な上りリソースセットの数がＭであり、且つ前記端末にサポートされるスケジューリング指示方式が前記第１スケジューリング指示方式である場合、前記第１上り伝送方式又は前記第３上り伝送方式を端末に指示することと、
前記端末にサポートされる同時上り伝送が可能なアンテナパネルの数、又は前記端末にサポートされるビーム管理に利用可能な上りリソースセットの数がＭであり、且つ前記端末にサポートされるスケジューリング指示方式が前記第２スケジューリング指示方式又は前記第３スケジューリング指示方式である場合、前記第１上り伝送方式又は前記第２上り伝送方式を端末に指示することとが実現される。
【００３３】
ここで、前記端末の伝送能力には、端末にサポートされるスケジューリング指示方式が含まれ、且つ前記端末にサポートされるスケジューリング指示方式には、少なくとも２種のスケジューリング指示方式が含まれる場合、
前記プロセッサが前記プログラムを実行すると、更に、
端末の伝送能力に基づいて、端末にサポートされる少なくとも２種のスケジューリング指示方式から１種のスケジューリング指示方式を、端末のスケジューリング指示方式として選択して端末に指示すること、
又は、端末の伝送能力に基づいて、端末にサポートされる少なくとも２種のスケジューリング指示方式から少なくとも１種の推奨スケジューリング指示方式を選択して端末に指示すること、
又は、端末から送信された少なくとも１種の推奨スケジューリング指示方式から１種のスケジューリング指示方式を、前記端末のスケジューリング指示方式として選択して端末に指示することが実現される。
【００３４】
上記目的を実現するために、本開示の実施例に係る、コンピュータプログラムが格納されているコンピュータ読み取り可能な記憶媒体は、
該コンピュータプログラムがプロセッサによって実行されると、上記データ伝送方法が実現される。
【００３５】
上記目的を実現するために、本開示の実施例に係る、上りリンク伝送用の少なくとも２つのアンテナパネルが構成された端末は、
端末の伝送能力に対応する目標上り伝送方式を取得する第１取得モジュールと、
前記目標上り伝送方式における上りデータのデータ層と端末のアンテナパネルとの対応関係に基づいて、前記端末の少なくとも１つのアンテナパネルから上りデータのデータ層を送信する送信モジュールと、
を含む。
【００３６】
ここで、前記第１取得モジュールは、
端末の伝送能力に基づいて、予め設定された複数種類の上り伝送方式から少なくとも１種の上り伝送方式を選択して前記目標上り伝送方式とし、
ここで、異なる上り伝送方式における上りデータのデータ層と端末のアンテナパネルとの対応関係が異なり、
又は、前記端末の伝送能力をネットワーク機器に報告し、前記ネットワーク機器が前記端末の伝送能力に基づいて指示した上り伝送方式を取得し、ネットワーク機器によって指示される上り伝送方式に基づいて前記目標上り伝送方式を決定し、
又は、端末の伝送能力に基づいて、予め設定された複数種類の上り伝送方式から少なくとも１種の上り伝送方式を選択して推奨上り伝送方式としてネットワーク機器に送信し、前記ネットワーク機器が前記推奨上り伝送方式から選択した上り伝送方式を取得し、前記ネットワーク機器が選択した上り伝送方式に基づいて前記目標上り伝送方式を決定し、
又は、前記端末の伝送能力をネットワーク機器に報告し、前記ネットワーク機器が前記端末の伝送能力に基づいて指示した少なくとも１種の推奨上り伝送方式を取得し、前記少なくとも１種の推奨上り伝送方式から前記目標上り伝送方式を選択する。
【００３７】
上記目的を実現するために、本開示の実施例に係るネットワーク機器は、
端末から報告された伝送情報であって、端末の伝送能力に対応する少なくとも１種の推奨上り伝送方式及び／又は端末の伝送能力を含む伝送情報を取得する第２取得モジュールと、
前記伝送情報に基づいて、上り伝送方式を端末に指示する指示モジュールと、
を含む。
【００３８】
ここで、前記指示モジュールは、
前記伝送情報が端末の伝送能力である場合、端末の伝送能力に基づいて、予め設定された複数種類の上り伝送方式から少なくとも１種の上り伝送方式を選択して端末に指示し、
又は、前記伝送情報が、端末の伝送能力に対応する少なくとも１種の推奨上り伝送方式と端末の伝送能力である場合、前記少なくとも１種の推奨上り伝送方式から、端末の伝送能力に基づいて少なくとも１種の上り伝送方式を選択して端末に指示し、
又は、前記伝送情報が、端末の伝送能力に対応する少なくとも１種の推奨上り伝送方式である場合、前記少なくとも１種の推奨上り伝送方式から少なくとも１種の上り伝送方式を選択して端末に指示する。
【発明の効果】
【００３９】
本開示の実施例の上記技術手段において、少なくとも２つのアンテナパネルから上りデータのジョイント伝送が端末によってサポートされる場合、目標上り伝送方式における上りデータのデータ層と端末のアンテナパネルとの対応関係に基づいて、１つのアンテナパネルから上りデータのデータ層を送信することによって、端末送信電力を節約し、伝送複雑度を低下させ、上りデータのデータ層を複数のアンテナパネルからジョイント伝送することによって、伝送レートを向上させる。
【図面の簡単な説明】
【００４０】
【図１】関連技術のアナログビームフォーミングで中間周波数信号に対して重み付けてフォーミングする模式図である。
【図２】関連技術のアナログビームフォーミングで無線周波数信号に対して重み付けてフォーミングする模式図である。
【図３】関連技術のデジタルアナログ複合ビームフォーミングの模式図である。
【図４】本開示の実施例に係るデータ伝送方法のフローチャートその１である。
【図５】本開示の実施例に係る第１上り伝送方式の模式図である。
【図６】本開示の実施例に係る第２上り伝送方式の模式図である。
【図７】本開示の実施例に係る第３上り伝送方式の模式図である。
【図８】本開示の実施例に係るデータ伝送方法のフローチャートその２である。
【図９】本開示の実施例に係る端末の構造を示すブロック図である。
【図１０】本開示の実施例に係る端末のモジュールを示す図である。
【図１１】本開示の実施例に係るネットワーク機器の構造を示すブロック図である。
【図１２】本開示の実施例に係るネットワーク機器のモジュールを示す図である。
【発明を実施するための形態】
【００４１】
本開示の解決しようとする技術課題、技術手段及び利点を明確にするために、以下、具体的な実施例及び図面を参照しながら詳細に記載する。
【００４２】
本開示の実施例の技術手段を当業者によりよく理解してもらうために、まず以下の説明をする。
【００４３】
ピークレート及びシステムのスペクトル利用率の向上への多入力多出力ＭＩＭＯ（Ｍｕｌｔｉｐｌｅ−Ｉｎｐｕｔ  Ｍｕｌｔｉｐｌｅ−Ｏｕｔｐｕｔ）技術の重要な役割を鑑みると、ロングタームエボリューションＬＴＥ（Ｌｏｎｇ  Ｔｅｒｍ  Ｅｖｏｌｕｔｉｏｎ）又はＬＴＥ−Ａ（ＬＴＥ−Ａｄｖａｎｃｅｄ）などの無線アクセス技術規格は、ＭＩＭＯ＋直交周波数分割多重ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）技術をベースに構築されている。ＭＩＭＯ技術の性能利得は、マルチアンテナシステムによって得られる空間自由度に由来するため、ＭＩＭＯ技術の標準化の進展における最も重要な進化方向は、次元の拡張である。
【００４４】
ＬＴＥ  Ｒｅｌ−８では、最大で４レイヤのＭＩＭＯ伝送がサポートされる。Ｒｅｌ−９は、マルチユーザ多入力多出力ＭＵ−ＭＩＭＯ（Ｍｕｌｔｉ−Ｕｓｅｒ  ＭＩＭＯ）技術の強化に重点を置き、伝送モードＴＭ（Ｔｒａｎｓｍｉｓｓｉｏｎ  Ｍｏｄｅ）−８におけるＭＵ−ＭＩＭＯ伝送では、最大４つの下りデータ層をサポートする。Ｒｅｌ−１０は、８アンテナポートをサポートすることを導入してチャネル状態情報の空間分解能を更に向上させ、シングルユーザ多入力多出力ＳＵ−ＭＩＭＯ（Ｓｉｎｇｌｅ−Ｕｓｅｒ  ＭＩＭＯ）の伝送能力を最大８個のデータ層に更に拡張する。Ｒｅｌ−１３及びＲｅｌ−１４は、ＦＤ−ＭＩＭＯ技術を導入して３２ポートまでサポートし、全次元及び垂直方向のビームフォーミングを実現する。
【００４５】
ＭＩＭＯ技術を更に向上させるために、移動通信システムには、大規模なアンテナ技術が導入されている。基地局において、フルデジタル化された大規模なアンテナは、１２８／２５６／５１２個までのアンテナ素子及び１２８／２５６／５１２個までのトランシーバとを有し、各アンテナ素子が１つのトランシーバに接続される。１２８／２５６／５１２個までのアンテナポートのパイロット信号を送信することで、端末は、チャネル状態情報を測定してフィードバックする。端末において、３２／６４個のアンテナ素子までのアンテナアレイを構成することも可能である。基地局と端末の両側のビームフォーミングにより、巨大なビームフォーミング利得が得られることで、パスロスによる信号減衰を補う。特に、３０ＧＨｚなどの高周波数帯の通信では、パスロスにより無線信号のカバレッジが極めて制限される。大規模なアンテナ技術により、無線信号のカバレッジを実用可能な範囲まで広げることができる。
【００４６】
フルデジタルアンテナアレイは、アンテナ素子毎に独立したトランシーバを有しているため、装置のサイズ、コスト及び消費電力が大幅に増大してしまう。特に、トランシーバのアナログデジタル変換器ＡＤＣ（Ａｎａｌｏｇ−ｔｏ−Ｄｉｇｉｔａｌ  Ｃｏｎｖｅｒｔｅｒ）やデジタルアナログ変換器ＤＡＣ（Ｄｉｇｉｔａｌ−ｔｏ−Ａｎａｌｏｇ  Ｃｏｎｖｅｒｔｅｒ）は、消費電力の低下及び性能の向上に限界があった。装置のサイズ、コスト及び消費電力を低下させるために、図１及び図２に示すように、アナログビームフォーミングによる技術が提案されている。アナログビームフォーミングの主な特徴は、中間周波数（図１）又は無線周波数信号（図２）を移相器で重み付けてフォーミングすることである。
【００４７】
アナログビームフォーミング性能を更に向上させるために、図３に示すようなデジタルアナログ複合ビームフォーミング送受信方式が提案されている。図３において、送信側及び受信側にそれぞれ
【数１】
2021534674.tif 000003
、
【数２】
2021534674.tif 000004
個のトランシーバを有し、送信側のアンテナ素子数
【数３】
2021534674.tif 000005
、受信側のアンテナ素子数
【数４】
2021534674.tif 000006
であり、ビームフォーミングによってサポートされる最大の並列伝送ストリーム数は、ｍｉｎ（
【数５】
2021534674.tif 000007
）である。図３の複合ビームフォーミング構造は、デジタルビームフォーミングの柔軟性とアナログビームフォーミングの低い複雑性との間のバランスを取る。
【００４８】
アナログビームフォーミングと、デジタルアナログ複合ビームフォーミングの両方は、送受信の両端のアナログビームフォーミングのウェイトを調整する必要があり、それによって、形成されたビームを通信相手に向ける。下り伝送では、基地局側から送信されるビームフォーミングウェイトと端末側で受信されるビームフォーミングウェイトを調整する必要があり、上り伝送では、端末側から送信されるビームフォーミングウェイトと基地局側で受信されるビームフォーミングウェイトを調整する必要がある。ビームフォーミングのウェイトは、通常、トレーニング信号を送信することによって得られる。下り方向では、基地局が下りビームトレーニング信号を送信し、端末が下りビームトレーニング信号を測定して最適な基地局送信ビームを選択し、ビームに関する情報を基地局にフィードバックするとともに、対応する最適な受信ビームを選択してローカルに保存する。
【００４９】
ＵＥは、アップリンク伝送用の複数のアンテナパネルを有する。以下、単一アンテナパネル伝送及びマルチアンテナパネルについてそれぞれ説明する。
【００５０】
（１）単一アンテナパネルｐａｎｅｌ伝送
１つの単一ｐａｎｅｌ  ＵＥには、送信ビーム走査のために１つのＳＲＳリソースセットが構成される。各ＳＲＳリソースセットは、複数のＳＲＳリソースを含み、異なるＳＲＳリソースは、異なるビームを使用してビームフォーミングされる。ｐａｎｅｌ毎に同時に１つのアナログビームしか形成できないので、１つのＳＲＳリソースセット内の異なるＳＲＳリソース（異なるビームに対応する）は、異なる時点に送信される。ｇＮＢは、ＳＲＳリソースセットの受信によって、最適な送信ビーム（即ち受信品質が最良のＳＲＳリソース）を決定してＵＥに指示する。
その後、ｇＮＢは、ＣＳＩ取得のために第２ＳＲＳリソースセットを構成し、このＣＳＩ取得用のＳＲＳリソースセットは、複数のＳＲＳリソースを含み、（それまでのビーム走査に基づいて）同じ又は異なるアナログビームを使用する。ｇＮＢは、チャネル推定状況に応じて、第２ＳＲＳリソースセット（ＣＳＩ取得用のＳＲＳリソースセット）を指示するＳＲＩ指示をＰＵＳＣＨのスケジューリンググラントに含める。ＵＥは、ＳＲＩによって指示されるビームに基づいてＰＵＳＣＨ伝送を行う。
【００５１】
（２）マルチアンテナパネルｐａｎｅｌ伝送
同様に、ＵＥが複数のｐａｎｅｌを有する場合、アナログビームトレーニングのために複数のＳＲＳリソースセットが構成され、各ＳＲＳセットが１つのｐａｎｅｌに対応する。同じＳＲＳリソースセット（１つのｐａｎｅｌに対応する）の異なるＳＲＳリソースは、異なる時点で送信される。異なるＳＲＳリソースセットは、異なるｐａｎｅｌにマッピングされるので、異なるＳＲＳリソースセットのＳＲＳリソースは、同一又は異なる時点で送信される。この場合、ＳＲＳのオーバーヘッドは、アンテナｐａｎｅｌの数に応じて線形に変化する。大量のアンテナｐａｎｅｌが構成された端末（電力やサイズの制約が少ない車両、気球及び他の航空機など）は、ＳＲＳオーバーヘッドが非常に大きくなる。
【００５２】
しかし、関連技術の規格では、マルチアンテナパネルからのジョイントデータ伝送が端末からサポートされる場合、端末のアンテナパネルからどのように上りデータの伝送を行うについて関連の記載がない。
【００５３】
上記問題に対し、図４に示すように、本開示の実施例は、上りリンク伝送用の少なくとも２つのアンテナパネルが構成された端末に応用されるデータ伝送方法を提供し、以下のステップを含む。
【００５４】
ステップ４０１において、端末の伝送能力に対応する目標上り伝送方式を取得する。
【００５５】
ここで、上記端末は、少なくとも２つのアンテナパネルから上りデータを同時に伝送することをサポートする。
端末の伝送能力は、
前記端末にサポートされる同時上り伝送が可能なアンテナパネルの数（又は、端末にサポートされるビーム管理に利用可能なＳＲＳリソースセットの数）、
前記端末にサポートされるコヒーレント伝送が可能なアンテナパネルの数、
前記端末にサポートされるスケジューリング指示方式、
の少なくとも１つを含む。
【００５６】
ここで、前記端末にサポートされるスケジューリング指示方式は、
前記端末のアンテナパネル毎に、送信プリコーディング行列インデックスＴＲＭＩ及び／又は送信ランクインデックスＴＲＩを含む目標情報を指示する第１スケジューリング指示方式、
前記端末のアンテナパネル毎に、目標情報及び任意２つのアンテナパネルの間の幅及び／又は位相重み係数を指示する第２スケジューリング指示方式、
前記端末に構成された全てのアンテナパネルが共同で目標情報を指示する第３スケジューリング指示方式、
の少なくとも１種のスケジューリング指示方式を含む。
【００５７】
ステップ４０２において、前記目標上り伝送方式における上りデータのデータ層と端末のアンテナパネルとの対応関係に基づいて、前記端末の少なくとも１つのアンテナパネルから上りデータのデータ層を送信する。
【００５８】
具体的には、目標上り伝送方式における上りデータのデータ層と端末のアンテナパネルとの対応関係に基づいて、前記端末の少なくとも１つのアンテナパネルから上りデータの全てのデータ層を送信する。
【００５９】
例えば、上記上りデータは、物理上り共有チャネルＰＵＳＣＨであり、該ＰＵＳＣＨは、Ｌ個のデータ層を含み、Ｌは、１より大きい正の整数である。この目標上り伝送方式では、Ｌ個のデータ層が２個のアンテナパネルに対応し、具体的には、Ｌ個のデータ層のうち１〜Ｋ層が端末のアンテナパネル１に対応し、Ｋ＋１〜Ｌ層が端末のアンテナパネル２に対応すると、端末は、アンテナパネル１からＰＵＳＣＨの１〜Ｋ層を伝送し、アンテナパネル２からＰＵＳＣＨのＫ＋１〜Ｌ層を伝送する。Ｋは、１より大きくＬより小さい正の整数である。又は、この目標上り伝送方式では、Ｌ個のデータ層が１つのアンテナパネルに対応すると、端末に構成された複数のアンテナパネルから、端末能力に応じて１つのアンテナパネルを選択し、選択したアンテナパネルからＰＵＳＣＨのＬ個のデータ層を送信する。
【００６０】
本開示の実施例に係るデータ伝送方法において、少なくとも２つのアンテナパネルから上りデータのジョイント伝送が端末によってサポートされる場合、目標上り伝送方式における上りデータのデータ層と端末のアンテナパネルとの対応関係に基づいて、１つのアンテナパネルから上りデータのデータ層を送信することによって、端末送信電力を節約し、伝送複雑度を低下させ、上りデータのデータ層を複数のアンテナパネルからジョイント伝送することによって、伝送レートを向上させる。
【００６１】
更に、上記ステップ４０１で端末の伝送能力に対応する目標上り伝送方式を取得することは、
端末の伝送能力に基づいて、予め設定された複数種類の上り伝送方式から少なくとも１種の上り伝送方式を選択して前記目標上り伝送方式とすること、
ここで、異なる上り伝送方式における上りデータのデータ層と端末のアンテナパネルとの対応関係が異なり、
又は、前記端末の伝送能力をネットワーク機器に報告し、前記ネットワーク機器が前記端末の伝送能力に基づいて指示した上り伝送方式を取得し、ネットワーク機器によって指示される上り伝送方式に基づいて前記目標上り伝送方式を決定すること、
又は、端末の伝送能力に基づいて、予め設定された複数種類の上り伝送方式から少なくとも１種の上り伝送方式を選択して推奨上り伝送方式としてネットワーク機器に送信し、前記ネットワーク機器が前記推奨上り伝送方式から選択した上り伝送方式を取得し、前記ネットワーク機器が選択した上り伝送方式に基づいて前記目標上り伝送方式を決定すること、
又は、前記端末の伝送能力をネットワーク機器に報告し、前記ネットワーク機器が前記端末の伝送能力に基づいて指示した少なくとも１種の推奨上り伝送方式を取得し、前記少なくとも１種の推奨上り伝送方式から前記目標上り伝送方式を選択することを含む。
【００６２】
本開示の実施例において、予め設定された複数種類の上り伝送方式は、第１上り伝送方式、第２上り伝送方式及び第３上り伝送方式を含む。
ここで、前記第１上り伝送方式は、端末に構成された少なくとも２つのアンテナパネルから１つのアンテナパネルを選択し、選択した前記アンテナパネルから上りデータの全てのデータ層を伝送することを指す。
【００６３】
上りデータをＰＵＳＣＨとすると、このＰＵＳＣＨは、Ｌ個のデータ層を含み、Ｌは、１より大きい正の整数であり、且つ端末には、アンテナパネル１とアンテナパネル２が配置されている。図５に示すように、２枚のアンテナパネルから１枚のアンテナパネルを選択し、アンテナパネル１を選択したとして、そのアンテナパネル１からＰＵＳＣＨのＬ個のデータ層を送信する。
【００６４】
ここで、上記第１上り伝送方式は、端末送信電力を節約して低複雑度を有するとともに、アンテナパネルｐａｎｅｌ間でのキャリブレーションを必要としない。
【００６５】
上記第２上り伝送方式は、上りデータの全てのデータ層を前記端末のアンテナパネル毎にそれぞれ伝送することを指す。
【００６６】
具体的には、上りデータの全てのデータ層をプリコーディングによりアンテナパネル毎にマッピングして伝送し、図６に示すように、ＰＵＳＣＨのＬ個のデータ層を、それぞれアンテナパネル１とアンテナパネル２から送信する。
【００６７】
ここで、上記第２上り伝送方式は、コヒーレント伝送の要件を満たすように、各アンテナパネルｐａｎｅｌ間で、キャリブレーションにより時間領域誤差、周波数領域誤差、幅誤差及び／又は位相誤差を小さく保つことができることが求められる。
【００６８】
上記第３上り伝送方式は、前記上りデータの全てのデータ層をＮグループに分け、各グループのデータ層を１つのアンテナパネルから送信することを指す。ここで、各グループのデータ層とアンテナパネルとは一対一に対応し、Ｎは、前記端末のアンテナパネル数であり、且つＮは、１より大きい正の整数である。
【００６９】
図７に示すように、Ｌ個のデータ層を２つのグループに分け、１〜Ｋ層を１グループとし、Ｋ＋１〜Ｌ層を１グループとして、１〜Ｋをアンテナパネル１から送信し、Ｋ＋１〜Ｌ層をアンテナパネル２から送信する。
【００７０】
この第３上り伝送方式では、ｐａｎｅｌ間で良好なキャリブレーションが求められない。
【００７１】
更に、上記ステップ４０２で端末の伝送能力に基づいて、予め設定された複数種類の上り伝送方式から少なくとも１種の上り伝送方式を選択して前記目標上り伝送方式とすることは、
前記端末にサポートされる同時上り伝送が可能なアンテナパネルの数が１であり、又は前記端末にサポートされるビーム管理に利用可能な上りリソースセットの数が１である場合、前記目標上り伝送方式を前記第１上り伝送方式に決定する。
【００７２】
具体的には、上記のビーム管理用の上りリソースセットは、ＳＲＳリソースセットである。
【００７３】
前記端末にサポートされる同時上り伝送が可能なアンテナパネルの数、又は前記端末にサポートされるビーム管理に利用可能な上りリソースセットの数がＭ（Ｍは、１より大きい正の整数）であり、且つ前記端末にサポートされるコヒーレント伝送が可能なアンテナパネルの数が１である場合、前記目標上り伝送方式を前記第１上り伝送方式又は前記第３上り伝送方式に決定する。
前記端末にサポートされる同時上り伝送が可能なアンテナパネルの数、又は前記端末にサポートされるビーム管理に利用可能な上りリソースセットの数がＭであり、且つ前記端末にサポートされるコヒーレント伝送が可能なアンテナパネルの数がＭである場合、前記目標上り伝送方式を前記第１上り伝送方式又は前記第２上り伝送方式に決定する。
前記端末にサポートされる同時上り伝送が可能なアンテナパネルの数、又は前記端末にサポートされるビーム管理に利用可能な上りリソースセットの数がＭであり、且つ前記端末にサポートされるスケジューリング指示方式が前記第１スケジューリング指示方式である場合、前記目標上り伝送方式を前記第１上り伝送方式又は前記第３上り伝送方式に決定する。
前記端末にサポートされる同時上り伝送が可能なアンテナパネルの数、又は前記端末にサポートされるビーム管理に利用可能な上りリソースセットの数がＭであり、且つ前記端末にサポートされるスケジューリング指示方式が前記第２スケジューリング指示方式又は前記第３スケジューリング指示方式である場合、前記目標上り伝送方式を前記第１上り伝送方式又は前記第２上り伝送方式に決定する。
【００７４】
本開示の実施例において、端末が上り伝送を行う場合に使用できる伝送方式は、ＵＥの伝送能力に大きく依存するため、本開示の実施例では、端末の伝送能力と伝送方式との対応関係を設定することにより、端末能力に応じて適切な伝送方式を選択して上りデータを伝送することができる。
【００７５】
更に、前記端末の伝送能力には、端末にサポートされるスケジューリング指示方式が含まれ、且つ前記端末にサポートされるスケジューリング指示方式には、少なくとも２種のスケジューリング指示方式が含まれる場合、上記の端末の伝送能力に基づいて、予め設定された複数種類の上り伝送方式から少なくとも１種の上り伝送方式を選択して前記目標上り伝送方式とする前には、前記方法は、更に、
端末の伝送能力に基づいて、端末にサポートされる少なくとも２種のスケジューリング指示方式から１種のスケジューリング指示方式を選択して前記端末のスケジューリング指示方式とすること、
又は、端末の伝送能力をネットワーク機器に報告し、ネットワーク機器が前記端末の伝送能力に基づいて、端末にサポートされる少なくとも２種のスケジューリング指示方式から選択した１種のスケジューリング指示方式を取得し、前記端末のスケジューリング指示方式とすること、
又は、端末の伝送能力をネットワーク機器に報告し、ネットワーク機器が前記端末の伝送能力に基づいて、端末にサポートされる少なくとも２種のスケジューリング指示方式から選択した少なくとも１種の推奨スケジューリング指示方式を取得し、前記少なくとも１種の推奨スケジューリング指示方式から１種のスケジューリング指示方式を選択して前記端末のスケジューリング指示方式とすること、
又は、端末の伝送能力に基づいて、端末にサポートされる少なくとも２種のスケジューリング指示方式から少なくとも１種の推奨スケジューリング指示方式を決定してネットワーク機器に送信し、前記ネットワーク機器が前記少なくとも１種の推奨スケジューリング指示方式から選択したスケジューリング指示方式を前記端末のスケジューリング指示方式とすることを含む。
【００７６】
本開示の実施例において、端末のスケジューリング指示方式を決定する際に、上記のいくつかの手段によって実現され、その後に端末のスケジューリング指示方式に基づいて、対応する上り伝送方式を選択することが容易になる。
【００７７】
図８に示すように、本開示の実施例は、ネットワーク機器に応用されるデータ伝送方法を更に提供する。該ネットワーク機器は、具体的に基地局である。該伝送方法は、以下のステップを含む。
【００７８】
ステップ８０１において、端末から報告された伝送情報であって、端末の伝送能力に対応する少なくとも１種の推奨上り伝送方式及び／又は端末の伝送能力を含む伝送情報を取得する。
【００７９】
端末の伝送能力は、
前記端末にサポートされる同時上り伝送が可能なアンテナパネルの数、
前記端末にサポートされるビーム管理に利用可能な上りリソースセットの数、
前記端末にサポートされるコヒーレント伝送が可能なアンテナパネルの数、
前記端末にサポートされるスケジューリング指示方式、
の少なくとも１つを含む。
【００８０】
ここで、端末にサポートされるスケジューリング指示方式は、
前記端末のアンテナパネル毎に、送信プリコーディング行列インデックスＴＲＭＩ及び／又は送信ランクインデックスＴＲＩを含む目標情報を指示する第１スケジューリング指示方式、
前記端末のアンテナパネル毎に、目標情報及び任意２つのアンテナパネルの間の幅及び／又は位相重み係数を指示する第２スケジューリング指示方式、
前記端末に構成された全てのアンテナパネルが共同で目標情報を指示する第３スケジューリング指示方式、
の少なくとも１種のスケジューリング指示方式を含む。
【００８１】
上記推奨上り伝送方式は、予め設定された複数種類の上り伝送方式から端末が選択したものであり、予め設定された複数種類の上り伝送方式は、第１上り伝送方式、第２上り伝送方式及び第３上り伝送方式を含む。
ここで、前記第１上り伝送方式は、端末に構成された少なくとも２つのアンテナパネルから１つのアンテナパネルを選択し、選択した前記アンテナパネルから上りデータの全てのデータ層を伝送することを指す。
前記第２上り伝送方式は、上りデータの全てのデータ層を前記端末のアンテナパネル毎にそれぞれ伝送することを指す。
前記第３上り伝送方式は、前記上りデータの全てのデータ層をＮグループに分け、各グループのデータ層を１つのアンテナパネルから送信することを指す。ここで、各グループのデータ層とアンテナパネルとは一対一に対応し、Ｎは、前記端末のアンテナパネル数であり、且つＮは、１より大きい正の整数である。
【００８２】
ステップ８０２において、前記伝送情報に基づいて、上り伝送方式を端末に指示する。
【００８３】
該上り伝送方式は、上りデータのデータ層と端末のアンテナパネルとの間の対応関係を含む。
【００８４】
本開示の実施例において、ネットワーク機器は、端末から報告された伝送情報に基づいて、上り伝送方式を端末に指示する。これによって、端末は、ネットワーク機器によって指示された上り伝送方式に基づいて目標上り伝送方式を決定し、目標上り伝送方式における上りデータのデータ層と端末のアンテナパネルとの対応関係に基づいて、前記端末の少なくとも１つのアンテナパネルから上りデータのデータ層を送信する。
【００８５】
更に、上記ステップ８０２で前記伝送情報に基づいて、上り伝送方式を端末に指示することは、
前記伝送情報が端末の伝送能力である場合、端末の伝送能力に基づいて、予め設定された複数種類の上り伝送方式から少なくとも１種の上り伝送方式を選択して端末に指示すること、
又は、前記伝送情報が、端末の伝送能力に対応する少なくとも１種の推奨上り伝送方式と端末の伝送能力である場合、前記少なくとも１種の推奨上り伝送方式から、端末の伝送能力に基づいて少なくとも１種の上り伝送方式を選択して端末に指示すること、
又は、前記伝送情報が、端末の伝送能力に対応する少なくとも１種の推奨上り伝送方式である場合、前記少なくとも１種の推奨上り伝送方式から少なくとも１種の上り伝送方式を選択して端末に指示することを含む。
【００８６】
具体的には、端末の伝送能力に基づいて、予め設定された複数種類の上り伝送方式から少なくとも１種の上り伝送方式を選択して端末に指示することは、
前記端末にサポートされる同時上り伝送が可能なアンテナパネルの数が１であり、又は前記端末にサポートされるビーム管理に利用可能な上りリソースセットの数が１である場合、前記第１上り伝送方式を端末に指示することと、
前記端末にサポートされる同時上り伝送が可能なアンテナパネルの数、又は前記端末にサポートされるビーム管理に利用可能な上りリソースセットの数がＭ（Ｍは、１より大きい正の整数）であり、且つ前記端末にサポートされるコヒーレント伝送が可能なアンテナパネルの数が１である場合、前記第１上り伝送方式又は前記第３上り伝送方式を端末に指示することと、
前記端末にサポートされる同時上り伝送が可能なアンテナパネルの数、又は前記端末にサポートされるビーム管理に利用可能な上りリソースセットの数がＭであり、且つ前記端末にサポートされるコヒーレント伝送が可能なアンテナパネルの数がＭである場合、前記第１上り伝送方式又は前記第２上り伝送方式を端末に指示することと、
前記端末にサポートされる同時上り伝送が可能なアンテナパネルの数、又は前記端末にサポートされるビーム管理に利用可能な上りリソースセットの数がＭであり、且つ前記端末にサポートされるスケジューリング指示方式が前記第１スケジューリング指示方式である場合、前記第１上り伝送方式又は前記第３上り伝送方式を端末に指示することと、
前記端末にサポートされる同時上り伝送が可能なアンテナパネルの数、又は前記端末にサポートされるビーム管理に利用可能な上りリソースセットの数がＭであり、且つ前記端末にサポートされるスケジューリング指示方式が前記第２スケジューリング指示方式又は前記第３スケジューリング指示方式である場合、前記第１上り伝送方式又は前記第２上り伝送方式を端末に指示することとを含む。
【００８７】
更に、前記端末の伝送能力には、端末にサポートされるスケジューリング指示方式が含まれ、且つ前記端末にサポートされるスケジューリング指示方式には、少なくとも２種のスケジューリング指示方式が含まれる場合、
端末の伝送能力に基づいて、予め設定された複数種類の上り伝送方式から少なくとも１種の上り伝送方式を選択して端末に指示する前には、前記方法は、更に、
端末の伝送能力に基づいて、端末にサポートされる少なくとも２種のスケジューリング指示方式から１種のスケジューリング指示方式を、端末のスケジューリング指示方式として選択して端末に指示すること、
又は、端末の伝送能力に基づいて、端末にサポートされる少なくとも２種のスケジューリング指示方式から少なくとも１種の推奨スケジューリング指示方式を選択して端末に指示すること、
又は、端末から送信された少なくとも１種の推奨スケジューリング指示方式から１種のスケジューリング指示方式を、前記端末のスケジューリング指示方式として選択して端末に指示することを含む。
【００８８】
本開示の実施例に係るデータ伝送方法おいて、ネットワーク機器は、端末から報告された伝送情報に基づいて、上り伝送方式を端末に指示する。これによって、端末は、ネットワーク機器によって指示された上り伝送方式に基づいて目標上り伝送方式を決定し、目標上り伝送方式における上りデータのデータ層と端末のアンテナパネルとの対応関係に基づいて、前記端末の少なくとも１つのアンテナパネルから上りデータのデータ層を送信する。
【００８９】
図９に示すように、本開示の実施例は、上りリンク伝送用の少なくとも２つのアンテナパネルが構成された端末を更に提供し、トランシーバ９１０と、メモリ９２０と、プロセッサ９００と、メモリに格納されてプロセッサで実行可能なコンピュータプログラムを含む。前記プロセッサが前記コンピュータプログラムを実行すると、
端末の伝送能力に対応する目標上り伝送方式を取得するステップと、
前記目標上り伝送方式における上りデータのデータ層と端末のアンテナパネルとの対応関係に基づいて、前記端末の少なくとも１つのアンテナパネルから上りデータのデータ層をトランシーバで送信するステップとが実現される。
【００９０】
ここで、図９において、バスアーキテクチャは、任意数の相互接続するバスとブリッジを含み、具体的に、プロセッサ９００をはじめとする１つ又は複数のプロセッサとメモリ９２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ９１０は、複数の部品であってもよく、即ち送信機と受信機を含み、伝送媒体でほかの各種類の装置と通信するユニットとして提供される。ユーザ端末によっては、ユーザインタフェース９３０は、内部接続や外部接続する機器のインタフェースであってもよい。接続する機器は、キーパッド、ディスプレイ、スピーカ、マイクロフォン、ジョイスティックなどを含むが、それらに限られない。
【００９１】
プロセッサ９００は、バスアーキテクチャと通常の処理を管理する。メモリ９２０は、プロセッサ９００による操作実行に使用されるデータを記憶できる。
【００９２】
任意選択で、プロセッサ９００は、メモリ９２０からプログラムを読み取ることによって、更に、
端末の伝送能力に基づいて、予め設定された複数種類の上り伝送方式から少なくとも１種の上り伝送方式を選択して前記目標上り伝送方式とするステップ、
ここで、異なる上り伝送方式における上りデータのデータ層と端末のアンテナパネルとの対応関係が異なり、
又は、前記端末の伝送能力をネットワーク機器に報告し、前記ネットワーク機器が前記端末の伝送能力に基づいて指示した上り伝送方式を取得し、ネットワーク機器によって指示される上り伝送方式に基づいて前記目標上り伝送方式を決定するステップ、
又は、端末の伝送能力に基づいて、予め設定された複数種類の上り伝送方式から少なくとも１種の上り伝送方式を選択して推奨上り伝送方式としてネットワーク機器に送信し、前記ネットワーク機器が前記推奨上り伝送方式から選択した上り伝送方式を取得し、前記ネットワーク機器が選択した上り伝送方式に基づいて前記目標上り伝送方式を決定するステップ、
又は、前記端末の伝送能力をネットワーク機器に報告し、前記ネットワーク機器が前記端末の伝送能力に基づいて指示した少なくとも１種の推奨上り伝送方式を取得し、前記少なくとも１種の推奨上り伝送方式から前記目標上り伝送方式を選択するステップが実行される。
【００９３】
任意選択で、前記端末の伝送能力は、
前記端末にサポートされる同時上り伝送が可能なアンテナパネルの数、
前記端末にサポートされるビーム管理に利用可能な上りリソースセットの数、
前記端末にサポートされるコヒーレント伝送が可能なアンテナパネルの数、
前記端末にサポートされるスケジューリング指示方式、
の少なくとも１つを含む。
【００９４】
任意選択で、前記端末にサポートされるスケジューリング指示方式は、
前記端末のアンテナパネル毎に、送信プリコーディング行列インデックスＴＲＭＩ及び／又は送信ランクインデックスＴＲＩを含む目標情報を指示する第１スケジューリング指示方式、
前記端末のアンテナパネル毎に、目標情報及び任意２つのアンテナパネルの間の幅及び／又は位相重み係数を指示する第２スケジューリング指示方式、
前記端末に構成された全てのアンテナパネルが共同で目標情報を指示する第３スケジューリング指示方式、
の少なくとも１種のスケジューリング指示方式を含む。
【００９５】
任意選択で、前記予め設定された複数種類の上り伝送方式は、第１上り伝送方式、第２上り伝送方式及び第３上り伝送方式を含む。
ここで、前記第１上り伝送方式は、端末に構成された少なくとも２つのアンテナパネルから１つのアンテナパネルを選択し、選択した前記アンテナパネルから上りデータの全てのデータ層を伝送することを指す。
前記第２上り伝送方式は、上りデータの全てのデータ層を前記端末のアンテナパネル毎にそれぞれ伝送することを指す。
前記第３上り伝送方式は、前記上りデータの全てのデータ層をＮグループに分け、各グループのデータ層を１つのアンテナパネルから送信することを指す。ここで、各グループのデータ層とアンテナパネルとは一対一に対応し、Ｎは、前記端末のアンテナパネル数であり、且つＮは、１より大きい正の整数である。
【００９６】
任意選択で、プロセッサ９００は、メモリ９２０からプログラムを読み取ることによって、更に、
前記端末にサポートされる同時上り伝送が可能なアンテナパネルの数が１であり、又は前記端末にサポートされるビーム管理に利用可能な上りリソースセットの数が１である場合、前記目標上り伝送方式を前記第１上り伝送方式に決定するステップと、
前記端末にサポートされる同時上り伝送が可能なアンテナパネルの数、又は前記端末にサポートされるビーム管理に利用可能な上りリソースセットの数がＭ（Ｍは、１より大きい正の整数）であり、且つ前記端末にサポートされるコヒーレント伝送が可能なアンテナパネルの数が１である場合、前記目標上り伝送方式を前記第１上り伝送方式又は前記第３上り伝送方式に決定するステップと、
前記端末にサポートされる同時上り伝送が可能なアンテナパネルの数、又は前記端末にサポートされるビーム管理に利用可能な上りリソースセットの数がＭであり、且つ前記端末にサポートされるコヒーレント伝送が可能なアンテナパネルの数がＭである場合、前記目標上り伝送方式を前記第１上り伝送方式又は前記第２上り伝送方式に決定するステップと、
前記端末にサポートされる同時上り伝送が可能なアンテナパネルの数、又は前記端末にサポートされるビーム管理に利用可能な上りリソースセットの数がＭであり、且つ前記端末にサポートされるスケジューリング指示方式が前記第１スケジューリング指示方式である場合、前記目標上り伝送方式を前記第１上り伝送方式又は前記第３上り伝送方式に決定するステップと、
前記端末にサポートされる同時上り伝送が可能なアンテナパネルの数、又は前記端末にサポートされるビーム管理に利用可能な上りリソースセットの数がＭであり、且つ前記端末にサポートされるスケジューリング指示方式が前記第２スケジューリング指示方式又は前記第３スケジューリング指示方式である場合、前記目標上り伝送方式を前記第１上り伝送方式又は前記第２上り伝送方式に決定するステップとが実行される。
【００９７】
任意選択で、前記端末の伝送能力には、端末にサポートされるスケジューリング指示方式が含まれ、且つ前記端末にサポートされるスケジューリング指示方式には、少なくとも２種のスケジューリング指示方式が含まれる場合、
プロセッサ９００は、メモリ９２０からプログラムを読み取ることによって、更に、
端末の伝送能力に基づいて、端末にサポートされる少なくとも２種のスケジューリング指示方式から１種のスケジューリング指示方式を選択して前記端末のスケジューリング指示方式とするステップ、
又は、端末の伝送能力をネットワーク機器に報告し、ネットワーク機器が前記端末の伝送能力に基づいて、端末にサポートされる少なくとも２種のスケジューリング指示方式から選択した１種のスケジューリング指示方式を取得し、前記端末のスケジューリング指示方式とするステップ、
又は、端末の伝送能力をネットワーク機器に報告し、ネットワーク機器が前記端末の伝送能力に基づいて、端末にサポートされる少なくとも２種のスケジューリング指示方式から選択した少なくとも１種の推奨スケジューリング指示方式を取得し、前記少なくとも１種の推奨スケジューリング指示方式から１種のスケジューリング指示方式を選択して前記端末のスケジューリング指示方式とするステップ、
又は、端末の伝送能力に基づいて、端末にサポートされる少なくとも２種のスケジューリング指示方式から少なくとも１種の推奨スケジューリング指示方式を決定してネットワーク機器に送信し、前記ネットワーク機器が前記少なくとも１種の推奨スケジューリング指示方式から選択したスケジューリング指示方式を前記端末のスケジューリング指示方式とするステップが実行される。
【００９８】
本開示の実施例は、コンピュータプログラムが格納されているコンピュータ読み取り可能な記憶媒体を更に提供し、該プログラムがプロセッサによって実行されると、
端末の伝送能力に対応する目標上り伝送方式を取得するステップと、
前記目標上り伝送方式における上りデータのデータ層と端末のアンテナパネルとの対応関係に基づいて、前記端末の少なくとも１つのアンテナパネルから上りデータのデータ層を送信するステップとが実現される。
【００９９】
該プログラムがプロセッサによって実行されると、上記の端末側に応用されるデータ伝送方法の実施例の全ての実施形態を実現することができるので、重複を避けるために、ここでは繰り返して述べない。
【０１００】
図１０に示すように、本開示の実施例は、上りリンク伝送用の少なくとも２つのアンテナパネルが構成された端末を更に提供し、
端末の伝送能力に対応する目標上り伝送方式を取得する第１取得モジュール１００１と、
前記目標上り伝送方式における上りデータのデータ層と端末のアンテナパネルとの対応関係に基づいて、前記端末の少なくとも１つのアンテナパネルから上りデータのデータ層を送信する送信モジュール１００２とを含む。
【０１０１】
本開示の実施例に係る端末において、前記第１取得モジュールは、
端末の伝送能力に基づいて、予め設定された複数種類の上り伝送方式から少なくとも１種の上り伝送方式を選択して前記目標上り伝送方式とし、
ここで、異なる上り伝送方式における上りデータのデータ層と端末のアンテナパネルとの対応関係が異なり、
又は、前記端末の伝送能力をネットワーク機器に報告し、前記ネットワーク機器が前記端末の伝送能力に基づいて指示した上り伝送方式を取得し、ネットワーク機器によって指示される上り伝送方式に基づいて前記目標上り伝送方式を決定し、
又は、端末の伝送能力に基づいて、予め設定された複数種類の上り伝送方式から少なくとも１種の上り伝送方式を選択して推奨上り伝送方式としてネットワーク機器に送信し、前記ネットワーク機器が前記推奨上り伝送方式から選択した上り伝送方式を取得し、前記ネットワーク機器が選択した上り伝送方式に基づいて前記目標上り伝送方式を決定し、
又は、前記端末の伝送能力をネットワーク機器に報告し、前記ネットワーク機器が前記端末の伝送能力に基づいて指示した少なくとも１種の推奨上り伝送方式を取得し、前記少なくとも１種の推奨上り伝送方式から前記目標上り伝送方式を選択する。
【０１０２】
本開示の実施例に係る端末において、前記端末の伝送能力は、
前記端末にサポートされる同時上り伝送が可能なアンテナパネルの数、
前記端末にサポートされるビーム管理に利用可能な上りリソースセットの数、
前記端末にサポートされるコヒーレント伝送が可能なアンテナパネルの数、
前記端末にサポートされるスケジューリング指示方式、
の少なくとも１つを含む。
【０１０３】
本開示の実施例に係る端末において、前記端末にサポートされるスケジューリング指示方式は、
前記端末のアンテナパネル毎に、送信プリコーディング行列インデックスＴＲＭＩ及び／又は送信ランクインデックスＴＲＩを含む目標情報を指示する第１スケジューリング指示方式、
前記端末のアンテナパネル毎に、目標情報及び任意２つのアンテナパネルの間の幅及び／又は位相重み係数を指示する第２スケジューリング指示方式、
前記端末に構成された全てのアンテナパネルが共同で目標情報を指示する第３スケジューリング指示方式、
の少なくとも１種のスケジューリング指示方式を含む。
【０１０４】
本開示の実施例に係る端末において、前記予め設定された複数種類の上り伝送方式は、第１上り伝送方式、第２上り伝送方式及び第３上り伝送方式を含む。
ここで、前記第１上り伝送方式は、端末に構成された少なくとも２つのアンテナパネルから１つのアンテナパネルを選択し、選択した前記アンテナパネルから上りデータの全てのデータ層を伝送することを指す。
前記第２上り伝送方式は、上りデータの全てのデータ層を前記端末のアンテナパネル毎にそれぞれ伝送することを指す。
前記第３上り伝送方式は、前記上りデータの全てのデータ層をＮグループに分け、各グループのデータ層を１つのアンテナパネルから送信することを指す。ここで、各グループのデータ層とアンテナパネルとは一対一に対応し、Ｎは、前記端末のアンテナパネル数であり、且つＮは、１より大きい正の整数である。
【０１０５】
本開示の実施例に係る端末において、前記第１取得モジュールは、前記端末にサポートされる同時上り伝送が可能なアンテナパネルの数が１であり、又は前記端末にサポートされるビーム管理に利用可能な上りリソースセットの数が１である場合、前記目標上り伝送方式を前記第１上り伝送方式に決定する。
前記端末にサポートされる同時上り伝送が可能なアンテナパネルの数、又は前記端末にサポートされるビーム管理に利用可能な上りリソースセットの数がＭ（Ｍは、１より大きい正の整数）であり、且つ前記端末にサポートされるコヒーレント伝送が可能なアンテナパネルの数が１である場合、前記目標上り伝送方式を前記第１上り伝送方式又は前記第３上り伝送方式に決定する。
前記端末にサポートされる同時上り伝送が可能なアンテナパネルの数、又は前記端末にサポートされるビーム管理に利用可能な上りリソースセットの数がＭであり、且つ前記端末にサポートされるコヒーレント伝送が可能なアンテナパネルの数がＭである場合、前記目標上り伝送方式を前記第１上り伝送方式又は前記第２上り伝送方式に決定する。
前記端末にサポートされる同時上り伝送が可能なアンテナパネルの数、又は前記端末にサポートされるビーム管理に利用可能な上りリソースセットの数がＭであり、且つ前記端末にサポートされるスケジューリング指示方式が前記第１スケジューリング指示方式である場合、前記目標上り伝送方式を前記第１上り伝送方式又は前記第３上り伝送方式に決定する。
前記端末にサポートされる同時上り伝送が可能なアンテナパネルの数、又は前記端末にサポートされるビーム管理に利用可能な上りリソースセットの数がＭであり、且つ前記端末にサポートされるスケジューリング指示方式が前記第２スケジューリング指示方式又は前記第３スケジューリング指示方式である場合、前記目標上り伝送方式を前記第１上り伝送方式又は前記第２上り伝送方式に決定する。
【０１０６】
本開示の実施例において、前記端末の伝送能力には、端末にサポートされるスケジューリング指示方式が含まれ、且つ前記端末にサポートされるスケジューリング指示方式には、少なくとも２種のスケジューリング指示方式が含まれる場合、
本開示の実施例は、決定モジュールを更に含む。
決定モジュールは、
端末の伝送能力に基づいて、端末にサポートされる少なくとも２種のスケジューリング指示方式から１種のスケジューリング指示方式を選択して前記端末のスケジューリング指示方式とし、
又は、端末の伝送能力をネットワーク機器に報告し、ネットワーク機器が前記端末の伝送能力に基づいて、端末にサポートされる少なくとも２種のスケジューリング指示方式から選択した１種のスケジューリング指示方式を取得し、前記端末のスケジューリング指示方式とし、
又は、端末の伝送能力をネットワーク機器に報告し、ネットワーク機器が前記端末の伝送能力に基づいて、端末にサポートされる少なくとも２種のスケジューリング指示方式から選択した少なくとも１種の推奨スケジューリング指示方式を取得し、前記少なくとも１種の推奨スケジューリング指示方式から１種のスケジューリング指示方式を選択して前記端末のスケジューリング指示方式とし、
又は、端末の伝送能力に基づいて、端末にサポートされる少なくとも２種のスケジューリング指示方式から少なくとも１種の推奨スケジューリング指示方式を決定してネットワーク機器に送信し、前記ネットワーク機器が前記少なくとも１種の推奨スケジューリング指示方式から選択したスケジューリング指示方式を前記端末のスケジューリング指示方式とする。
【０１０７】
本開示の実施例に係る端末は、少なくとも２つのアンテナパネルから上りデータのジョイント伝送が端末によってサポートされる場合、目標上り伝送方式における上りデータのデータ層と端末のアンテナパネルとの対応関係に基づいて、１つのアンテナパネルから上りデータのデータ層を送信することによって、端末送信電力を節約し、伝送複雑度を低下させ、上りデータのデータ層を複数のアンテナパネルからジョイント伝送することによって、伝送レートを向上させる
【０１０８】
図１１に示すように、本開示の実施例は、ネットワーク機器を更に提供する。該ネットワーク機器は、具体的に基地局であり、メモリ１１２０と、プロセッサ１１００と、トランシーバ１１１０と、バスインタフェースと、メモリ１１２０に格納されてプロセッサ１１００で実行可能なコンピュータプログラムを含む。
前記プロセッサ１１００は、メモリ１１２０からプログラムを読み取ることによって、
端末から報告された伝送情報であって、端末の伝送能力に対応する少なくとも１種の推奨上り伝送方式及び／又は端末の伝送能力を含む伝送情報をトランシーバで取得するプロセスと、
前記伝送情報に基づいて、上り伝送方式を端末に指示するプロセスとを実行する。
【０１０９】
ここで、図１１において、バスアーキテクチャは、任意数の相互接続するバスとブリッジを含み、具体的に、プロセッサ１１００をはじめとする１つ又は複数のプロセッサとメモリ１１２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ１１１０は、複数の部品であってもよく、即ち送信機と受信機を含み、伝送媒体でほかの各種類の装置と通信するユニットとして提供される。プロセッサ１１００は、バスアーキテクチャと通常の処理を管理する。メモリ１１２０は、プロセッサ１１００による操作実行に使用されるデータを記憶できる。
【０１１０】
任意選択で、前記プロセッサ１１００が前記コンピュータプログラムを実行すると、更に、
前記伝送情報が端末の伝送能力である場合、端末の伝送能力に基づいて、予め設定された複数種類の上り伝送方式から少なくとも１種の上り伝送方式を選択して端末に指示するステップ、
又は、前記伝送情報が、端末の伝送能力に対応する少なくとも１種の推奨上り伝送方式と端末の伝送能力である場合、前記少なくとも１種の推奨上り伝送方式から、端末の伝送能力に基づいて少なくとも１種の上り伝送方式を選択して端末に指示するステップ、
又は、前記伝送情報が、端末の伝送能力に対応する少なくとも１種の推奨上り伝送方式である場合、前記少なくとも１種の推奨上り伝送方式から少なくとも１種の上り伝送方式を選択して端末に指示するステップが実現される。
【０１１１】
任意選択で、前記端末の伝送能力は、
前記端末にサポートされる同時上り伝送が可能なアンテナパネルの数、
前記端末にサポートされるビーム管理に利用可能な上りリソースセットの数、
前記端末にサポートされるコヒーレント伝送が可能なアンテナパネルの数、
前記端末にサポートされるスケジューリング指示方式、
の少なくとも１つを含む。
【０１１２】
任意選択で、前記端末にサポートされるスケジューリング指示方式は、
前記端末のアンテナパネル毎に、送信プリコーディング行列インデックスＴＲＭＩ及び／又は送信ランクインデックスＴＲＩを含む目標情報を指示する第１スケジューリング指示方式、
前記端末のアンテナパネル毎に、目標情報及び任意２つのアンテナパネルの間の位置情報を指示する第２スケジューリング指示方式、
ここで、前記位置情報は、幅及び／又は位相重み係数を含み、
前記端末に構成された全てのアンテナパネルが共同で目標情報を指示する第３スケジューリング指示方式、
の少なくとも１種のスケジューリング指示方式を含む。
【０１１３】
任意選択で、前記予め設定された複数種類の上り伝送方式は、第１上り伝送方式、第２上り伝送方式及び第３上り伝送方式を含む。
ここで、前記第１上り伝送方式は、端末に構成された少なくとも２つのアンテナパネルから１つのアンテナパネルを選択し、選択した前記アンテナパネルから上りデータの全てのデータ層を伝送することを指す。
前記第２上り伝送方式は、上りデータの全てのデータ層を前記端末のアンテナパネル毎にそれぞれ伝送することを指す。
前記第３上り伝送方式は、前記上りデータの全てのデータ層をＮグループに分け、各グループのデータ層を１つのアンテナパネルから送信することを指す。ここで、各グループのデータ層とアンテナパネルとは一対一に対応し、Ｎは、前記端末のアンテナパネル数であり、且つＮは、１より大きい正の整数である。
【０１１４】
任意選択で、前記プロセッサ１１００が前記コンピュータプログラムを実行すると、更に、
前記端末にサポートされる同時上り伝送が可能なアンテナパネルの数が１であり、又は前記端末にサポートされるビーム管理に利用可能な上りリソースセットの数が１である場合、前記第１上り伝送方式を端末に指示するステップと、
前記端末にサポートされる同時上り伝送が可能なアンテナパネルの数、又は前記端末にサポートされるビーム管理に利用可能な上りリソースセットの数がＭ（Ｍは、１より大きい正の整数）であり、且つ前記端末にサポートされるコヒーレント伝送が可能なアンテナパネルの数が１である場合、前記第１上り伝送方式又は前記第３上り伝送方式を端末に指示するステップと、
前記端末にサポートされる同時上り伝送が可能なアンテナパネルの数、又は前記端末にサポートされるビーム管理に利用可能な上りリソースセットの数がＭであり、且つ前記端末にサポートされるコヒーレント伝送が可能なアンテナパネルの数がＭである場合、前記第１上り伝送方式又は前記第２上り伝送方式を端末に指示するステップと、
前記端末にサポートされる同時上り伝送が可能なアンテナパネルの数、又は前記端末にサポートされるビーム管理に利用可能な上りリソースセットの数がＭであり、且つ前記端末にサポートされるスケジューリング指示方式が前記第１スケジューリング指示方式である場合、前記第１上り伝送方式又は前記第３上り伝送方式を端末に指示するステップと、
前記端末にサポートされる同時上り伝送が可能なアンテナパネルの数、又は前記端末にサポートされるビーム管理に利用可能な上りリソースセットの数がＭであり、且つ前記端末にサポートされるスケジューリング指示方式が前記第２スケジューリング指示方式又は前記第３スケジューリング指示方式である場合、前記第１上り伝送方式又は前記第２上り伝送方式を端末に指示するステップとが実現される。
【０１１５】
任意選択で、前記端末の伝送能力には、端末にサポートされるスケジューリング指示方式が含まれ、且つ前記端末にサポートされるスケジューリング指示方式には、少なくとも２種のスケジューリング指示方式が含まれる場合、
前記プロセッサ１１００が前記コンピュータプログラムを実行すると、更に、
端末の伝送能力に基づいて、端末にサポートされる少なくとも２種のスケジューリング指示方式から１種のスケジューリング指示方式を、端末のスケジューリング指示方式として選択して端末に指示するステップ、
又は、端末の伝送能力に基づいて、端末にサポートされる少なくとも２種のスケジューリング指示方式から少なくとも１種の推奨スケジューリング指示方式を選択して端末に指示するステップ、
又は、端末から送信された少なくとも１種の推奨スケジューリング指示方式から１種のスケジューリング指示方式を、前記端末のスケジューリング指示方式として選択して端末に指示するステップが実現される。
【０１１６】
本開示の一部実施例は、コンピュータプログラムが格納されているコンピュータ読み取り可能な記憶媒体を更に提供し、
該プログラムがプロセッサによって実行されると、
端末から報告された伝送情報であって、端末の伝送能力に対応する少なくとも１種の推奨上り伝送方式及び／又は端末の伝送能力を含む伝送情報を取得するステップと、
前記伝送情報に基づいて、上り伝送方式を端末に指示するステップとが実現される。
【０１１７】
該プログラムがプロセッサによって実行されると、上記のネットワーク機器側に応用される方法の実施例の全ての実施形態を実現することができるので、重複を避けるために、ここでは繰り返して述べない。
【０１１８】
図１２に示すように、本開示の実施例は、ネットワーク機器を更に提供し、
端末から報告された伝送情報であって、端末の伝送能力に対応する少なくとも１種の推奨上り伝送方式及び／又は端末の伝送能力を含む伝送情報を取得する第２取得モジュール１２０１と、
前記伝送情報に基づいて、上り伝送方式を端末に指示する指示モジュール１２０２とを含む。
【０１１９】
本開示の実施例に係るネットワーク機器において、前記指示モジュールは、
前記伝送情報が端末の伝送能力である場合、端末の伝送能力に基づいて、予め設定された複数種類の上り伝送方式から少なくとも１種の上り伝送方式を選択して端末に指示し、
又は、前記伝送情報が、端末の伝送能力に対応する少なくとも１種の推奨上り伝送方式と端末の伝送能力である場合、前記少なくとも１種の推奨上り伝送方式から、端末の伝送能力に基づいて少なくとも１種の上り伝送方式を選択して端末に指示し、
又は、前記伝送情報が、端末の伝送能力に対応する少なくとも１種の推奨上り伝送方式である場合、前記少なくとも１種の推奨上り伝送方式から少なくとも１種の上り伝送方式を選択して端末に指示する。
【０１２０】
本開示の実施例に係るネットワーク機器において、前記端末の伝送能力は、
前記端末にサポートされる同時上り伝送が可能なアンテナパネルの数、
前記端末にサポートされるビーム管理に利用可能な上りリソースセットの数、
前記端末にサポートされるコヒーレント伝送が可能なアンテナパネルの数、
前記端末にサポートされるスケジューリング指示方式、
の少なくとも１つを含む。
【０１２１】
本開示の実施例に係るネットワーク機器において、前記端末にサポートされるスケジューリング指示方式は、
前記端末のアンテナパネル毎に、送信プリコーディング行列インデックスＴＲＭＩ及び／又は送信ランクインデックスＴＲＩを含む目標情報を指示する第１スケジューリング指示方式、
前記端末のアンテナパネル毎に、目標情報及び任意２つのアンテナパネルの間の位置情報を指示する第２スケジューリング指示方式、
ここで、前記位置情報は、幅及び／又は位相重み係数を含み、
前記端末に構成された全てのアンテナパネルが共同で目標情報を指示する第３スケジューリング指示方式、
の少なくとも１種のスケジューリング指示方式を含む。
【０１２２】
本開示の実施例に係るネットワーク機器において、前記予め設定された複数種類の上り伝送方式は、第１上り伝送方式、第２上り伝送方式及び第３上り伝送方式を含む。
ここで、前記第１上り伝送方式は、端末に構成された少なくとも２つのアンテナパネルから１つのアンテナパネルを選択し、選択した前記アンテナパネルから上りデータの全てのデータ層を伝送することを指す。
前記第２上り伝送方式は、上りデータの全てのデータ層を前記端末のアンテナパネル毎にそれぞれ伝送することを指す。
前記第３上り伝送方式は、前記上りデータの全てのデータ層をＮグループに分け、各グループのデータ層を１つのアンテナパネルから送信することを指す。ここで、各グループのデータ層とアンテナパネルとは一対一に対応し、Ｎは、前記端末のアンテナパネル数であり、且つＮは、１より大きい正の整数である。
【０１２３】
本開示の実施例に係るネットワーク機器において、前記指示モジュールは、前記端末にサポートされる同時上り伝送が可能なアンテナパネルの数が１であり、又は前記端末にサポートされるビーム管理に利用可能な上りリソースセットの数が１である場合、前記第１上り伝送方式を端末に指示する。
前記端末にサポートされる同時上り伝送が可能なアンテナパネルの数、又は前記端末にサポートされるビーム管理に利用可能な上りリソースセットの数がＭ（Ｍは、１より大きい正の整数）であり、且つ前記端末にサポートされるコヒーレント伝送が可能なアンテナパネルの数が１である場合、前記第１上り伝送方式又は前記第３上り伝送方式を端末に指示する。
前記端末にサポートされる同時上り伝送が可能なアンテナパネルの数、又は前記端末にサポートされるビーム管理に利用可能な上りリソースセットの数がＭであり、且つ前記端末にサポートされるコヒーレント伝送が可能なアンテナパネルの数がＭである場合、前記第１上り伝送方式又は前記第２上り伝送方式を端末に指示する。
前記端末にサポートされる同時上り伝送が可能なアンテナパネルの数、又は前記端末にサポートされるビーム管理に利用可能な上りリソースセットの数がＭであり、且つ前記端末にサポートされるスケジューリング指示方式が前記第１スケジューリング指示方式である場合、前記第１上り伝送方式又は前記第３上り伝送方式を端末に指示する。
前記端末にサポートされる同時上り伝送が可能なアンテナパネルの数、又は前記端末にサポートされるビーム管理に利用可能な上りリソースセットの数がＭであり、且つ前記端末にサポートされるスケジューリング指示方式が前記第２スケジューリング指示方式又は前記第３スケジューリング指示方式である場合、前記第１上り伝送方式又は前記第２上り伝送方式を端末に指示する。
【０１２４】
本開示の実施例に係るネットワーク機器において、前記端末の伝送能力には、端末にサポートされるスケジューリング指示方式が含まれ、且つ前記端末にサポートされるスケジューリング指示方式には、少なくとも２種のスケジューリング指示方式が含まれる場合、前記ネットワーク機器は、選択モジュールを更に含む。
選択モジュールは、
端末の伝送能力に基づいて、予め設定された複数種類の上り伝送方式から少なくとも１種の上り伝送方式を選択して端末に指示する前には、更に、端末の伝送能力に基づいて、端末にサポートされる少なくとも２種のスケジューリング指示方式から１種のスケジューリング指示方式を、端末のスケジューリング指示方式として選択して端末に指示し、
又は、端末の伝送能力に基づいて、端末にサポートされる少なくとも２種のスケジューリング指示方式から少なくとも１種の推奨スケジューリング指示方式を選択して端末に指示し、
又は、端末から送信された少なくとも１種の推奨スケジューリング指示方式から１種のスケジューリング指示方式を、前記端末のスケジューリング指示方式として選択して端末に指示する。
【０１２５】
本開示の実施例に係るネットワーク機器は、端末から報告された伝送情報に基づいて、上り伝送方式を端末に指示する。これによって、端末は、ネットワーク機器によって指示された上り伝送方式に基づいて目標上り伝送方式を決定し、目標上り伝送方式における上りデータのデータ層と端末のアンテナパネルとの対応関係に基づいて、前記端末の少なくとも１つのアンテナパネルから上りデータのデータ層を送信する。
【０１２６】
本開示の実施例において、コンピュータプログラムが格納されているコンピュータ読み取り可能な記憶媒体を更に提供し、前記コンピュータプログラムがプロセッサによって実行されると、上記の方法の実施例の各プロセスが実現され、且つ同じ効果を奏することができるので、重複を避けるために、ここでは繰り返して述べない。ここで、前記コンピュータ読み取り可能な記憶媒体は、例えば、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク又は光ディスクなどなどである。
【０１２７】
本明細書に開示された実施例に記載の各例のユニット及びアルゴリズムのステップが、電子ハードウェア、又はコンピュータソフトウェアと電子ハードウェアの組み合わせによって実現可能であることは、当業者が理解できる。これらの機能がいったいハードウェアによって実行されるか、それともソフトウェアによって実行されるかは、技術手段の特定な応用や設計の制限条件によって決められる。当業者は、各特定な応用に対し、異なる方法によって記載の機能を実現することができるが、これらの実現は、本開示の範囲を超えたものとされるべきではない。電子ハードウェアは、電子回路、特殊用途向け集積回路ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、プログラミング可能な論理デバイス、プログラミング可能なプロセッサなどを含むが、それらに限られない。
【０１２８】
記載の便利や簡潔化のために、以上記載したシステム、装置及びユニットの具体的な動作プロセスは、前記方法実施例における対応プロセスを参照されたく、ここでは繰り返して記載しない。これは、当業者にとって自明である。
【０１２９】
本開示で提供されるいくつかの実施例において、開示された装置及び方法は、他の方式で実施されることを理解されたい。以上記載した装置実施例は、単に例示的なものである。例えば、記載したユニットの区分は、単に論理機能の区分であり、実際に実現する際に別の区分方式がある。例えば、複数のユニット又はコンポーネントは、組み合わせてもよく、別のシステムに一体化されてもよく、又は、一部の特徴は、無視されてもよく、又は実行されなくてもよい。また、示されており又は議論されている各構成部分の相互間の結合や直接結合や通信接続は、インタフェース、装置又はユニットを介した間接結合や通信接続であってもよく、電気的、機械的、又は他の形式であってもよい。
【０１３０】
本開示の各実施例において、上記各プロセスの番号の大きさは、実行順の前後を意味するのではなく、各プロセスの実行順は、その機能及び内在的な論理によって決められるものであり、本開示の実施例の実施プロセスに対しいっさい限定を構成しないと理解すべきである。
【０１３１】
以上記載されたのは、本開示の選択可能な実施形態である。当業者は、本開示に記載されている原理を逸脱せずに様々な改良や修飾をすることもできる。これらの改良や修飾も、本開示の保護範囲として見なされるべきである。
【図１】
2021534674.tif 000008
【図２】
2021534674.tif 000009
【図３】
2021534674.tif 000010
【図４】
2021534674.tif 000011
【図５】
2021534674.tif 000012
【図６】
2021534674.tif 000013
【図７】
2021534674.tif 000014
【図８】
2021534674.tif 000015
【図９】
2021534674.tif 000016
【図１０】
2021534674.tif 000017
【図１１】
2021534674.tif 000018
【図１２】
2021534674.tif 000019
【手続補正書】
【提出日】令和3年2月24日(2021.2.24)
【手続補正１】
【補正対象書類名】特許請求の範囲
【補正対象項目名】全文
【補正方法】変更
【補正の内容】
【特許請求の範囲】
【請求項１】
上りリンク伝送用の少なくとも２つのアンテナパネルが構成された端末に応用されるデータ伝送方法であって、
端末の伝送能力に対応する目標上り伝送方式を取得することと、
前記目標上り伝送方式における上りデータのデータ層と端末のアンテナパネルとの対応関係に基づいて、前記端末の少なくとも１つのアンテナパネルから上りデータのデータ層を送信することと、
を含む、データ伝送方法。
【請求項２】
端末の伝送能力に対応する目標上り伝送方式を取得することは、
端末の伝送能力に基づいて、予め設定された複数種類の上り伝送方式から少なくとも１種の上り伝送方式を選択して前記目標上り伝送方式とすること、
ここで、異なる上り伝送方式における上りデータのデータ層と端末のアンテナパネルとの対応関係が異なり、
又は、前記端末の伝送能力をネットワーク機器に報告し、前記ネットワーク機器が前記端末の伝送能力に基づいて指示した上り伝送方式を取得し、ネットワーク機器によって指示される上り伝送方式に基づいて前記目標上り伝送方式を決定すること、
又は、端末の伝送能力に基づいて、予め設定された複数種類の上り伝送方式から少なくとも１種の上り伝送方式を選択して推奨上り伝送方式としてネットワーク機器に送信し、前記ネットワーク機器が前記推奨上り伝送方式から選択した上り伝送方式を取得し、前記ネットワーク機器が選択した上り伝送方式に基づいて前記目標上り伝送方式を決定すること、
又は、前記端末の伝送能力をネットワーク機器に報告し、前記ネットワーク機器が前記端末の伝送能力に基づいて指示した少なくとも１種の推奨上り伝送方式を取得し、前記少なくとも１種の推奨上り伝送方式から前記目標上り伝送方式を選択することを含む、請求項１に記載のデータ伝送方法。
【請求項３】
前記端末の伝送能力は、
前記端末にサポートされる同時上り伝送が可能なアンテナパネルの数、
前記端末にサポートされるビーム管理に利用可能な上りリソースセットの数、
前記端末にサポートされるコヒーレント伝送が可能なアンテナパネルの数、
前記端末にサポートされるスケジューリング指示方式、
の少なくとも１つを含む、請求項２に記載のデータ伝送方法。
【請求項４】
前記端末にサポートされるスケジューリング指示方式は、
前記端末のアンテナパネル毎に、送信プリコーディング行列インデックスＴＰＭＩ及び／又は送信ランクインデックスＴＲＩを含む目標情報を指示する第１スケジューリング指示方式、
前記端末のアンテナパネル毎に、目標情報及び任意２つのアンテナパネルの間の幅及び／又は位相重み係数を指示する第２スケジューリング指示方式、
前記端末に構成された全てのアンテナパネルが共同で目標情報を指示する第３スケジューリング指示方式、
の少なくとも１種のスケジューリング指示方式を含む、請求項３に記載のデータ伝送方法。
【請求項５】
前記予め設定された複数種類の上り伝送方式は、第１上り伝送方式、第２上り伝送方式及び第３上り伝送方式を含み、
ここで、前記第１上り伝送方式は、端末に構成された少なくとも２つのアンテナパネルから１つのアンテナパネルを選択し、選択した前記アンテナパネルから上りデータの全てのデータ層を伝送することを指し、
前記第２上り伝送方式は、上りデータの全てのデータ層を前記端末のアンテナパネル毎にそれぞれ伝送することを指し、
前記第３上り伝送方式は、前記上りデータの全てのデータ層をＮグループに分け、各グループのデータ層を１つのアンテナパネルから送信することを指し、ここで、各グループのデータ層とアンテナパネルとは一対一に対応し、Ｎは、前記端末のアンテナパネル数であり、且つＮは、１より大きい正の整数である、請求項３又は４に記載のデータ伝送方法。
【請求項６】
前記端末の伝送能力に基づいて、予め設定された複数種類の上り伝送方式から少なくとも１種の上り伝送方式を選択して前記目標上り伝送方式とすることは、
前記端末にサポートされる同時上り伝送が可能なアンテナパネルの数が１であり、又は前記端末にサポートされるビーム管理に利用可能な上りリソースセットの数が１である場合、前記目標上り伝送方式を前記第１上り伝送方式に決定することと、
前記端末にサポートされる同時上り伝送が可能なアンテナパネルの数、又は前記端末にサポートされるビーム管理に利用可能な上りリソースセットの数がＭ（Ｍは、１より大きい正の整数）であり、且つ前記端末にサポートされるコヒーレント伝送が可能なアンテナパネルの数が１である場合、前記目標上り伝送方式を前記第１上り伝送方式又は前記第３上り伝送方式に決定することと、
前記端末にサポートされる同時上り伝送が可能なアンテナパネルの数、又は前記端末にサポートされるビーム管理に利用可能な上りリソースセットの数がＭであり、且つ前記端末にサポートされるコヒーレント伝送が可能なアンテナパネルの数がＭである場合、前記目標上り伝送方式を前記第１上り伝送方式又は前記第２上り伝送方式に決定することと、
前記端末にサポートされる同時上り伝送が可能なアンテナパネルの数、又は前記端末にサポートされるビーム管理に利用可能な上りリソースセットの数がＭであり、且つ前記端末にサポートされるスケジューリング指示方式が前記第１スケジューリング指示方式である場合、前記目標上り伝送方式を前記第１上り伝送方式又は前記第３上り伝送方式に決定することと、
前記端末にサポートされる同時上り伝送が可能なアンテナパネルの数、又は前記端末にサポートされるビーム管理に利用可能な上りリソースセットの数がＭであり、且つ前記端末にサポートされるスケジューリング指示方式が前記第２スケジューリング指示方式又は前記第３スケジューリング指示方式である場合、前記目標上り伝送方式を前記第１上り伝送方式又は前記第２上り伝送方式に決定することとを含む、請求項５に記載のデータ伝送方法。
【請求項７】
前記端末の伝送能力には、端末にサポートされるスケジューリング指示方式が含まれ、且つ前記端末にサポートされるスケジューリング指示方式には、少なくとも２種のスケジューリング指示方式が含まれる場合、
端末の伝送能力に基づいて、予め設定された複数種類の上り伝送方式から少なくとも１種の上り伝送方式を選択して前記目標上り伝送方式とする前には、更に、
端末の伝送能力に基づいて、端末にサポートされる少なくとも２種のスケジューリング指示方式から１種のスケジューリング指示方式を選択して前記端末のスケジューリング指示方式とすること、
又は、端末の伝送能力をネットワーク機器に報告し、ネットワーク機器が前記端末の伝送能力に基づいて、端末にサポートされる少なくとも２種のスケジューリング指示方式から選択した１種のスケジューリング指示方式を取得し、前記端末のスケジューリング指示方式とすること、
又は、端末の伝送能力をネットワーク機器に報告し、ネットワーク機器が前記端末の伝送能力に基づいて、端末にサポートされる少なくとも２種のスケジューリング指示方式から選択した少なくとも１種の推奨スケジューリング指示方式を取得し、前記少なくとも１種の推奨スケジューリング指示方式から１種のスケジューリング指示方式を選択して前記端末のスケジューリング指示方式とすること、
又は、端末の伝送能力に基づいて、端末にサポートされる少なくとも２種のスケジューリング指示方式から少なくとも１種の推奨スケジューリング指示方式を決定してネットワーク機器に送信し、前記ネットワーク機器が前記少なくとも１種の推奨スケジューリング指示方式から選択したスケジューリング指示方式を前記端末のスケジューリング指示方式とすることを含む、請求項２に記載のデータ伝送方法。
【請求項８】
ネットワーク機器に応用されるデータ伝送方法であって、
端末から報告された伝送情報であって、端末の伝送能力に対応する少なくとも１種の推奨上り伝送方式及び／又は端末の伝送能力を含む伝送情報を取得することと、
前記伝送情報に基づいて、上り伝送方式を端末に指示することと、
を含む、データ伝送方法。
【請求項９】
前記伝送情報に基づいて、上り伝送方式を端末に指示することは、
前記伝送情報が端末の伝送能力である場合、端末の伝送能力に基づいて、予め設定された複数種類の上り伝送方式から少なくとも１種の上り伝送方式を選択して端末に指示すること、
又は、前記伝送情報が、端末の伝送能力に対応する少なくとも１種の推奨上り伝送方式と端末の伝送能力である場合、前記少なくとも１種の推奨上り伝送方式から、端末の伝送能力に基づいて少なくとも１種の上り伝送方式を選択して端末に指示すること、
又は、前記伝送情報が、端末の伝送能力に対応する少なくとも１種の推奨上り伝送方式である場合、前記少なくとも１種の推奨上り伝送方式から少なくとも１種の上り伝送方式を選択して端末に指示することを含む、請求項８に記載のデータ伝送方法。
【請求項１０】
前記端末の伝送能力は、
前記端末にサポートされる同時上り伝送が可能なアンテナパネルの数、
前記端末にサポートされるビーム管理に利用可能な上りリソースセットの数、
前記端末にサポートされるコヒーレント伝送が可能なアンテナパネルの数、
前記端末にサポートされるスケジューリング指示方式、
の少なくとも１つを含み、
前記端末にサポートされるスケジューリング指示方式は、
前記端末のアンテナパネル毎に、送信プリコーディング行列インデックスＴＰＭＩ及び／又は送信ランクインデックスＴＲＩを含む目標情報を指示する第１スケジューリング指示方式、
前記端末のアンテナパネル毎に、目標情報及び任意２つのアンテナパネルの間の位置情報を指示する第２スケジューリング指示方式、
ここで、前記位置情報は、幅及び／又は位相重み係数を含み、
前記端末に構成された全てのアンテナパネルが共同で目標情報を指示する第３スケジューリング指示方式、
の少なくとも１種のスケジューリング指示方式を含む、請求項９に記載のデータ伝送方法。
【請求項１１】
前記予め設定された複数種類の上り伝送方式は、第１上り伝送方式、第２上り伝送方式及び第３上り伝送方式を含み、
ここで、前記第１上り伝送方式は、端末に構成された少なくとも２つのアンテナパネルから１つのアンテナパネルを選択し、選択した前記アンテナパネルから上りデータの全てのデータ層を伝送することを指し、
前記第２上り伝送方式は、上りデータの全てのデータ層を前記端末のアンテナパネル毎にそれぞれ伝送することを指し、
前記第３上り伝送方式は、前記上りデータの全てのデータ層をＮグループに分け、各グループのデータ層を１つのアンテナパネルから送信することを指し、ここで、各グループのデータ層とアンテナパネルとは一対一に対応し、Ｎは、前記端末のアンテナパネル数であり、且つＮは、１より大きい正の整数である、請求項１０に記載のデータ伝送方法。
【請求項１２】
前記端末の伝送能力に基づいて、予め設定された複数種類の上り伝送方式から少なくとも１種の上り伝送方式を選択して端末に指示することは、
前記端末にサポートされる同時上り伝送が可能なアンテナパネルの数が１であり、又は前記端末にサポートされるビーム管理に利用可能な上りリソースセットの数が１である場合、前記第１上り伝送方式を端末に指示することと、
前記端末にサポートされる同時上り伝送が可能なアンテナパネルの数、又は前記端末にサポートされるビーム管理に利用可能な上りリソースセットの数がＭ（Ｍは、１より大きい正の整数）であり、且つ前記端末にサポートされるコヒーレント伝送が可能なアンテナパネルの数が１である場合、前記第１上り伝送方式又は前記第３上り伝送方式を端末に指示することと、
前記端末にサポートされる同時上り伝送が可能なアンテナパネルの数、又は前記端末にサポートされるビーム管理に利用可能な上りリソースセットの数がＭであり、且つ前記端末にサポートされるコヒーレント伝送が可能なアンテナパネルの数がＭである場合、前記第１上り伝送方式又は前記第２上り伝送方式を端末に指示することと、
前記端末にサポートされる同時上り伝送が可能なアンテナパネルの数、又は前記端末にサポートされるビーム管理に利用可能な上りリソースセットの数がＭであり、且つ前記端末にサポートされるスケジューリング指示方式が前記第１スケジューリング指示方式である場合、前記第１上り伝送方式又は前記第３上り伝送方式を端末に指示することと、
前記端末にサポートされる同時上り伝送が可能なアンテナパネルの数、又は前記端末にサポートされるビーム管理に利用可能な上りリソースセットの数がＭであり、且つ前記端末にサポートされるスケジューリング指示方式が前記第２スケジューリング指示方式又は前記第３スケジューリング指示方式である場合、前記第１上り伝送方式又は前記第２上り伝送方式を端末に指示することとを含む、請求項１１に記載のデータ伝送方法。
【請求項１３】
前記端末の伝送能力には、端末にサポートされるスケジューリング指示方式が含まれ、且つ前記端末にサポートされるスケジューリング指示方式には、少なくとも２種のスケジューリング指示方式が含まれる場合、
端末の伝送能力に基づいて、予め設定された複数種類の上り伝送方式から少なくとも１種の上り伝送方式を選択して端末に指示する前には、更に、
端末の伝送能力に基づいて、端末にサポートされる少なくとも２種のスケジューリング指示方式から１種のスケジューリング指示方式を、端末のスケジューリング指示方式として選択して端末に指示すること、
又は、端末の伝送能力に基づいて、端末にサポートされる少なくとも２種のスケジューリング指示方式から少なくとも１種の推奨スケジューリング指示方式を選択して端末に指示すること、
又は、端末から送信された少なくとも１種の推奨スケジューリング指示方式から１種のスケジューリング指示方式を、前記端末のスケジューリング指示方式として選択して端末に指示することを含む、請求項９に記載のデータ伝送方法。
【請求項１４】
上りリンク伝送用の少なくとも２つのアンテナパネルが構成された端末であって、
端末の伝送能力に対応する目標上り伝送方式を取得する第１取得モジュールと、
前記目標上り伝送方式における上りデータのデータ層と端末のアンテナパネルとの対応関係に基づいて、前記端末の少なくとも１つのアンテナパネルから上りデータのデータ層を送信する送信モジュールと、
を含む、端末。
【請求項１５】
端末から報告された伝送情報であって、端末の伝送能力に対応する少なくとも１種の推奨上り伝送方式及び／又は端末の伝送能力を含む伝送情報を取得する第２取得モジュールと、
前記伝送情報に基づいて、上り伝送方式を端末に指示する指示モジュールと、
を含む、ネットワーク機器。
【手続補正２】
【補正対象書類名】明細書
【補正対象項目名】０００８
【補正方法】変更
【補正の内容】
【０００８】
ここで、前記端末にサポートされるスケジューリング指示方式は、
前記端末のアンテナパネル毎に、送信プリコーディング行列インデックスＴＰＭＩ及び／又は送信ランクインデックスＴＲＩを含む目標情報を指示する第１スケジューリング指示方式、
前記端末のアンテナパネル毎に、目標情報及び任意２つのアンテナパネルの間の幅及び／又は位相重み係数を指示する第２スケジューリング指示方式、
前記端末に構成された全てのアンテナパネルが共同で目標情報を指示する第３スケジューリング指示方式、
の少なくとも１種のスケジューリング指示方式を含む。
【手続補正３】
【補正対象書類名】明細書
【補正対象項目名】００１５
【補正方法】変更
【補正の内容】
【００１５】
ここで、前記端末にサポートされるスケジューリング指示方式は、
前記端末のアンテナパネル毎に、送信プリコーディング行列インデックスＴＰＭＩ及び／又は送信ランクインデックスＴＲＩを含む目標情報を指示する第１スケジューリング指示方式、
前記端末のアンテナパネル毎に、目標情報及び任意２つのアンテナパネルの間の位置情報を指示する第２スケジューリング指示方式、
ここで、前記位置情報は、幅及び／又は位相重み係数を含み、
前記端末に構成された全てのアンテナパネルが共同で目標情報を指示する第３スケジューリング指示方式、
の少なくとも１種のスケジューリング指示方式を含む。
【手続補正４】
【補正対象書類名】明細書
【補正対象項目名】００２２
【補正方法】変更
【補正の内容】
【００２２】
ここで、前記端末にサポートされるスケジューリング指示方式は、
前記端末のアンテナパネル毎に、送信プリコーディング行列インデックスＴＰＭＩ及び／又は送信ランクインデックスＴＲＩを含む目標情報を指示する第１スケジューリング指示方式、
前記端末のアンテナパネル毎に、目標情報及び任意２つのアンテナパネルの間の幅及び／又は位相重み係数を指示する第２スケジューリング指示方式、
前記端末に構成された全てのアンテナパネルが共同で目標情報を指示する第３スケジューリング指示方式、
の少なくとも１種のスケジューリング指示方式を含む。
【手続補正５】
【補正対象書類名】明細書
【補正対象項目名】００３０
【補正方法】変更
【補正の内容】
【００３０】
ここで、前記端末にサポートされるスケジューリング指示方式は、
前記端末のアンテナパネル毎に、送信プリコーディング行列インデックスＴＰＭＩ及び／又は送信ランクインデックスＴＲＩを含む目標情報を指示する第１スケジューリング指示方式、
前記端末のアンテナパネル毎に、目標情報及び任意２つのアンテナパネルの間の位置情報を指示する第２スケジューリング指示方式、
ここで、前記位置情報は、幅及び／又は位相重み係数を含み、
前記端末に構成された全てのアンテナパネルが共同で目標情報を指示する第３スケジューリング指示方式、
の少なくとも１種のスケジューリング指示方式を含む。
【手続補正６】
【補正対象書類名】明細書
【補正対象項目名】００５６
【補正方法】変更
【補正の内容】
【００５６】
ここで、前記端末にサポートされるスケジューリング指示方式は、
前記端末のアンテナパネル毎に、送信プリコーディング行列インデックスＴＰＭＩ及び／又は送信ランクインデックスＴＲＩを含む目標情報を指示する第１スケジューリング指示方式、
前記端末のアンテナパネル毎に、目標情報及び任意２つのアンテナパネルの間の幅及び／又は位相重み係数を指示する第２スケジューリング指示方式、
前記端末に構成された全てのアンテナパネルが共同で目標情報を指示する第３スケジューリング指示方式、
の少なくとも１種のスケジューリング指示方式を含む。
【手続補正７】
【補正対象書類名】明細書
【補正対象項目名】００８０
【補正方法】変更
【補正の内容】
【００８０】
ここで、端末にサポートされるスケジューリング指示方式は、
前記端末のアンテナパネル毎に、送信プリコーディング行列インデックスＴＰＭＩ及び／又は送信ランクインデックスＴＲＩを含む目標情報を指示する第１スケジューリング指示方式、
前記端末のアンテナパネル毎に、目標情報及び任意２つのアンテナパネルの間の幅及び／又は位相重み係数を指示する第２スケジューリング指示方式、
前記端末に構成された全てのアンテナパネルが共同で目標情報を指示する第３スケジューリング指示方式、
の少なくとも１種のスケジューリング指示方式を含む。
【手続補正８】
【補正対象書類名】明細書
【補正対象項目名】００９４
【補正方法】変更
【補正の内容】
【００９４】
任意選択で、前記端末にサポートされるスケジューリング指示方式は、
前記端末のアンテナパネル毎に、送信プリコーディング行列インデックスＴＰＭＩ及び／又は送信ランクインデックスＴＲＩを含む目標情報を指示する第１スケジューリング指示方式、
前記端末のアンテナパネル毎に、目標情報及び任意２つのアンテナパネルの間の幅及び／又は位相重み係数を指示する第２スケジューリング指示方式、
前記端末に構成された全てのアンテナパネルが共同で目標情報を指示する第３スケジューリング指示方式、
の少なくとも１種のスケジューリング指示方式を含む。
【手続補正９】
【補正対象書類名】明細書
【補正対象項目名】０１０３
【補正方法】変更
【補正の内容】
【０１０３】
本開示の実施例に係る端末において、前記端末にサポートされるスケジューリング指示方式は、
前記端末のアンテナパネル毎に、送信プリコーディング行列インデックスＴＰＭＩ及び／又は送信ランクインデックスＴＲＩを含む目標情報を指示する第１スケジューリング指示方式、
前記端末のアンテナパネル毎に、目標情報及び任意２つのアンテナパネルの間の幅及び／又は位相重み係数を指示する第２スケジューリング指示方式、
前記端末に構成された全てのアンテナパネルが共同で目標情報を指示する第３スケジューリング指示方式、
の少なくとも１種のスケジューリング指示方式を含む。
【手続補正１０】
【補正対象書類名】明細書
【補正対象項目名】０１１２
【補正方法】変更
【補正の内容】
【０１１２】
任意選択で、前記端末にサポートされるスケジューリング指示方式は、
前記端末のアンテナパネル毎に、送信プリコーディング行列インデックスＴＰＭＩ及び／又は送信ランクインデックスＴＲＩを含む目標情報を指示する第１スケジューリング指示方式、
前記端末のアンテナパネル毎に、目標情報及び任意２つのアンテナパネルの間の位置情報を指示する第２スケジューリング指示方式、
ここで、前記位置情報は、幅及び／又は位相重み係数を含み、
前記端末に構成された全てのアンテナパネルが共同で目標情報を指示する第３スケジューリング指示方式、
の少なくとも１種のスケジューリング指示方式を含む。
【手続補正１１】
【補正対象書類名】明細書
【補正対象項目名】０１２１
【補正方法】変更
【補正の内容】
【０１２１】
本開示の実施例に係るネットワーク機器において、前記端末にサポートされるスケジューリング指示方式は、
前記端末のアンテナパネル毎に、送信プリコーディング行列インデックスＴＰＭＩ及び／又は送信ランクインデックスＴＲＩを含む目標情報を指示する第１スケジューリング指示方式、
前記端末のアンテナパネル毎に、目標情報及び任意２つのアンテナパネルの間の位置情報を指示する第２スケジューリング指示方式、
ここで、前記位置情報は、幅及び／又は位相重み係数を含み、
前記端末に構成された全てのアンテナパネルが共同で目標情報を指示する第３スケジューリング指示方式、
の少なくとも１種のスケジューリング指示方式を含む。
【国際調査報告】
2021534674.tif 000020
2021534674.tif 000021
2021534674.tif 000022
2021534674.tif 000023
2021534674.tif 000024
2021534674.tif 000025